(57)【特許請求の範囲】
【請求項１】
基板上に相変化型記録層を設けてなり、情報記録領域に第１再生専用領域と書き換え可能領域とを有する光学的情報記録媒体の前記書き換え可能領域にデータを記録する、データ記録方法であって、
（１）前記光学的情報記録媒体は、
前記第１再生専用領域及び前記書き換え可能領域とが、同一の層構成を有してなり、
前記第１再生専用領域及び前記書き換え可能領域のデータ及びアドレス情報が、互いに同一の論理構造を有する基本データ単位からなり、それぞれ再生専用又は書き換え可能なデータであることを識別できる付加データを該単位若しくは該単位を複数個含むデータ単位ごとに有してなり、
前記書き換え可能領域に、その中心線が記録再生用光ビームの走査方向に対して所定の振幅の蛇行を有する溝が設けられていると共に、
前記第１再生専用領域におけるデータが、基板上に設けられた複数のプレピット列によって得られ、
前記プレピット列の中心線が前記光ビームの走査方向に対して前記溝の振幅と略同一の振幅の蛇行を有しており、且つ、前記溝の蛇行と前記プレピット列の中心線の蛇行とによって連続したアドレス情報が付与されてなり、
前記溝の蛇行と前記プレピット列の中心線の蛇行による搬送周波数が、デジタル情報によって周波数変調又は位相変調されており、それによって前記付加データが付与されてなり、
前記光学的情報記録媒体が前記第１再生専用領域を有する書き換え型媒体であることを認識するための識別情報が、前記記録媒体の特定領域の基板上に予めプレピット若しくは溝変形として記載されており、
前記識別情報とともに、少なくとも前記第１再生専用領域の開始アドレスが、前記特定領域の基板上に予めプレピット若しくは溝変形として記載されており、
前記第１再生専用領域及び前記書き換え可能領域に含まれるファイルのファイル管理情報が前記書き換え可能領域に記載されてなり、
前記第１再生専用領域は、所定のアプリケーションプログラムのデータが格納されたアプリケーションプログラム領域を有し、
前記書き換え可能領域は、少なくとも前記アプリケーションプログラムに関連するユーザーデータを記録できるユーザーデータ記録領域を有してなり、
（２）前記データ記録方法においては、
前記光学的情報記録媒体を装填して前記識別情報を取得することにより、部分的に前記第１再生専用領域を有する書き換え可能型相変化型光ディスクであることを認識しうる認識ステップと、
前記認識ステップにて認識された前記第１再生専用領域にアクセスして、前記アプリケーションプログラムのデータを取得しそのプログラム内容を実行しうるプログラム実行ステップと、
前記プログラム実行ステップにより実行されたアプリケーションプログラムに従って、所要の情報を入力することのできる情報入力ステップと、
前記情報入力ステップにより入力された情報をユーザーデータとして記録することのできる記録ステップと、
をそなえてなり、
前記記録ステップにおいては、記録を行うべき領域の前記付加データを認識して、前記領域が前記書き換え可能領域である場合には記録を行い、前記領域が前記第１再生専用領域である場合には記録を行わずにエラーメッセージを送出して他の領域へ移動する
ことを特徴とする、データ記録方法。
【請求項２】
前記光学的情報記録媒体が、付加データを有する基本データ単位として、固定長のデータを使用する媒体である、請求項１に記載のデータ記録方法。
【請求項３】
前記光学的情報記録媒体の情報記録領域のデータが、コンパクトディスク互換であるＥＦＭ変調信号である、請求項１又は請求項２に記載のデータ記録方法。
【請求項４】
前記光学的情報記録媒体のＡＴＩＰフレームに、書き換え可能か又は再生専用かのどちらの属性に属するかが規定されている、請求項３に記載のデータ記録方法。
【請求項５】
前記ＡＴＩＰ情報は、分、秒及びフレーム単位でそれぞれ２桁のＢＣＤコードの絶対時間で記載されており、前記分、秒及びフレームを表記する８ビットの最上位桁をそれぞれＭ１、Ｓ１及びＦ１とするとき、プログラム領域における（Ｍ１，Ｓ１，Ｆ１）の（０，０，０）、（０，０，１）、（０，１，０）及び（０，１，１）のいずれかに対応させて、前記属性が規定されていることを特徴とする、請求項４に記載のデータ記録方法。
【請求項６】
前記光学的情報記録媒体のＥＦＭフレームに、書き換え可能か又は再生専用かのどちらの属性に属するかが規定されていることを特徴とする、請求項３に記載のデータ記録方法。
【請求項７】
前記光学的情報記録媒体におけるサブコードのＱチャネルのうちの特定の２ビットに対応させて、該サブコードの指定するフレームの前記属性が規定されていることを特徴とする、請求項６に記載のデータ記録方法。
【請求項８】
前記光学的情報記録媒体のブロックに、書き換え可能か又は再生専用かのどちらの属性に属するかが規定されていることを特徴とする、請求項３に記載のデータ記録方法。
【請求項９】
前記ブロックのヘッダーに含まれるモード情報を記載する複数ビットのうちの特定の２ビットに対応させて、該ブロックの前記属性が規定されていることを特徴とする、請求項８に記載のデータ記録方法。
【請求項１０】
前記光学的情報記録媒体の書き換え可能か否かの属性が、さらに、初回のみ書き換え可能か否かの属性と、繰り返し書き込みが可能か否かの属性とを有することを特徴とする、請求項１乃至請求項９のいずれか１項に記載のデータ記録方法。
【請求項１１】
前記光学的情報記録媒体において、マルチセッションフォーマットの規定に従って、プログラム領域を複数のセッションに分割し、分割された一部のセッションを再生専用とし、分割された他のセッションを書き換え可能としたことを特徴とする、請求項３乃至請求項１０のいずれか１項に記載のデータ記録方法。
【請求項１２】
前記光学的情報記録媒体のプログラム領域を、ＩＳＯ９６６０ファイル構造の再生専用データからなる第１セッションと書き換え型領域からなる第２セッションとに分割し、前記第１セッションのユーザーデータおよびリードアウトを再生専用データとし、リードイン領域、ＰＭＡ領域及びＰＣＡ領域を書き換え可能としたことを特徴とする、請求項１１に記載のデータ記録方法。
【請求項１３】
前記光学的情報記録媒体におけるマルチセッションフォーマットの各セッションのリードイン領域に、該セッションが、書き換え可能又は再生専用のどちらの属性に属するかを示す情報が含まれていることを特徴とする、請求項１１又は請求項１２に記載のデータ記録方法。
【請求項１４】
前記光学的情報記録媒体において、リードイン領域又はマルチセッションフォーマットの最初のセッションのリードイン領域のＡＴＩＰで記載された特別情報に、第１再生専用領域と書き換え可能領域とを有する光学的情報記録媒体であることを示す情報が含まれていることを特徴とする、請求項３乃至請求項１３のいずれか１項に記載のデータ記録方法。
【請求項１５】
前記光学的情報記録媒体において、リードイン領域又はマルチセッションフォーマットの最初のセッションのリードイン領域のＥＦＭデータに、第１再生専用領域と書き換え可能領域とを有する光学的情報記録媒体であることを示す情報が含まれていることを特徴とする、請求項３乃至請求項１３のいずれか１項に記載のデータ記録方法。
【請求項１６】
前記光学的情報記録媒体が、前記第１再生専用領域に加えて、書き換え可能領域にデータを記録した後に再書き込みを禁止することにより形成した第２再生専用領域を有するように構成されたことを特徴とする、請求項１乃至請求項１５のいずれか１項に記載のデータ記録方法。
【請求項１７】
前記光学的情報記録媒体において、前記第１再生専用領域に所定の更新不要なアプリケーションプログラムが格納されるとともに、前記第２再生専用領域に更新可能又はカスタマイズされたアプリケーションプログラムが格納され、前記書き換え可能領域に少なくとも前記アプリケーションプログラムに関連するユーザーデータを記録可能なユーザーデータ記録領域を設けてなることを特徴とする、請求項１６に記載のデータ記録方法。
【請求項１８】
前記光学的情報記録媒体のデータフォーマットがＣＤ−ＲＷフォーマットであって、ファイル管理情報が前記光学的情報記録媒体の書き換え可能であるリードイン領域、ＰＭＡ領域に保管されることを特徴とする、請求項１に記載のデータ記録方法。
【請求項１９】
基板上に相変化型記録層を設けてなり、情報記録領域に第１再生専用領域と書き換え可能領域とを有する光学的情報記録媒体の書き換え可能領域のデータの消去方法であって、
（１）前記光学的情報記録媒体は、
前記第１再生専用領域及び前記書き換え可能領域とが、同一の層構成を有してなり、
前記第１再生専用領域及び前記書き換え可能領域のデータ及びアドレス情報が、互いに同一の論理構造を有する基本データ単位からなり、それぞれ再生専用又は書き換え可能なデータであることを識別できる付加データを該単位若しくは該単位を複数個含むデータ単位ごとに有してなり、
前記書き換え可能領域に、その中心線が記録再生用光ビームの走査方向に対して所定の振幅の蛇行を有する溝が設けられていると共に、
前記第１再生専用領域におけるデータが、基板上に設けられた複数のプレピット列によって得られ、
前記プレピット列の中心線が前記光ビームの走査方向に対して前記溝の振幅と略同一の振幅の蛇行を有しており、且つ、前記溝の蛇行と前記プレピット列の中心線の蛇行とによって連続したアドレス情報が付与されてなり、
前記溝の蛇行と前記プレピット列の中心線の蛇行による搬送周波数が、デジタル情報によって周波数変調又は位相変調されており、それによって前記付加データが付与されてなり、
前記光学的情報記録媒体が前記第１再生専用領域を有する書き換え型媒体であることを認識するための識別情報が、前記記録媒体の特定領域の基板上に予めプレピット若しくは溝変形として記載されており、
前記識別情報とともに、少なくとも前記第１再生専用領域の開始アドレスが、前記特定領域の基板上に予めプレピット若しくは溝変形として記載されており、
前記第１再生専用領域及び前記書き換え可能領域に含まれるファイルのファイル管理情報が前記書き換え可能領域に記載されてなり、
前記第１再生専用領域は、所定のアプリケーションプログラムのデータが格納されたアプリケーションプログラム領域を有し、
前記書き換え可能領域は、少なくとも前記アプリケーションプログラムに関連するユーザーデータを記録できるユーザーデータ記録領域を有してなり、
（２）前記データ消去方法においては、
前記光学的情報記録媒体が前記第１再生専用領域を含む書き換え型であることを示す識別情報を認識する認識ステップと、
前記第１再生専用領域のファイル管理情報を取得してそのファイル管理情報を記憶装置に転送するメモリ転送ステップと、
該記録媒体の書き換え可能領域に記載された前記第１再生専用領域及び前記書き換え可能領域のファイル管理情報を消去する消去ステップと、
該書き換え可能領域に、該記憶装置に転送された前記第１再生専用領域のファイル管理情報を記録する再記録ステップとをそなえて構成されたことを特徴とする、データ消去方法。
【請求項２０】
リードイン領域を有するセッション領域を複数有するマルチセッションフォーマットのコンパクトディスクにおいて先頭のセッション領域のリードイン領域に記録された特別情報に基づき該コンパクトディスクが前記第１再生専用領域を有する書き換え型であることを識別する識別ステップと、
該複数のセッション領域における該リードイン領域のそれぞれから書き換え可能、一回だけ記録可能又は書き込み禁止に関する属性を抽出する抽出ステップと、
該抽出ステップにて抽出された該属性が該書き込み禁止である場合には、その書き込み禁止セッション領域のファイル管理情報を記憶装置に転送するメモリ転送ステップと、
該先頭のセッション領域における該リードイン領域に記録されたファイル管理情報を消去する消去ステップと、
該先頭のセッション領域に、該記憶装置に転送された該書き込み禁止セッション領域のファイル管理情報が再登録されるステップとをそなえて構成されたことを特徴とする、書き換え可能型コンパクトディスクの書き換え可能領域のデータ消去方法。
【発明の詳細な説明】
【０００１】
【発明の属する技術分野】
本発明は、部分的にＲＯＭ領域を設けたような書き換え可能相変化型光ディスク、及び、該ディスクにおいてＲＯＭデータを誤って上書きすることなく、ＲＡＭ部の書き換えを行なうシステムに関する。特に、ＲＯＭ／ＲＡＭ混載の書き換え型コンパクトディスクにかかわる。
【０００２】
【従来の技術】
近年、大容量のデータの配布、複製、保存に適する記録媒体として光ディスクが普及している。なかでもＣＤフォ−マットの再生専用ディスク（ＣＤ−ＲＯＭ）、追記可能型ディスク（ＣＤ−Ｒ）、書き換え可能型ディスク（ＣＤ−ＲＷ）は、もっとも普及した光ディスクファミリーである。ＣＤファミリーである、ＣＤ−ＲＯＭ、ＣＤ−Ｒ、ＣＤ−ＲＷの特徴はそのデータの属性にあり、データの属性に応じて使い分けられている。
【０００３】
ＣＤ−ＲＯＭディスクは同一の内容のデータを凹状のピットを基板に転写し、大量に複製して配布するのに適している。一方、ＣＤ−ＲやＣＤ−ＲＷは任意に追記もしくは書き換え可能なデータの記録が可能であり、個人レベルのデータ保存等に適している。なかでもＣＤ−ＲＷは、フロッピーディスクやＭＯディスクに代わる安価で大容量なバックアップ用記憶媒体として期待されている。
【０００４】
ＣＤ−ＲＷにおける記録済みデータ信号と従来のＣＤ−ＲＯＭ（反射率約６０％以上）のデータ信号との主要な違いは反射率が１５から２５％程度と低いことだけであり、既存のドライブの設計を低反射率に対応できるようにすることで、幅広い互換性が達成でき、すでに、多数のＣＤ−ＲＯＭドライブが対応している。
【０００５】
また、特開平１１−２５０５２２号公報（以下、公知文献ということがある）には、再記録不能なアルミ反射領域と再記録可能な相変化反射領域とを設けたハイブリッド構造とした技術が開示されている。この公知文献に開示された技術は、ＣＤ−ＲＷ媒体には、専用フォーマットにより書き換え並びに消去を禁止した再記録不能な情報記録領域が設けられ、残りを再記録可能な情報記録領域とし、再記録不能な情報記録領域専用フォーマットにより書き込み・読み出しを制限することのできる専用のＣＤ−ＲＷドライブを使用して読み書きを行なうものである。
【０００６】
また、ＣＤ−ＲＷに先行して開発されたＣＤ−Ｒドライブをベースに、ＣＤ−Ｒ及びＲＷ媒体の双方に記録可能（ＣＤ−ＲＷに対しては書き換え可能）なドライブも多数発売されている。
【０００７】
【発明が解決しようとする課題】
記録領域の一部に再生専用（ＲＯＭ）領域を有する書き換え型ディスク（Partial ROM、Ｐ−ＲＯＭ）は、データ配布とユーザーデータの記録の両方を可能とする点で好ましいものであり、ＣＤファミリーでもその実現が望まれている。
従来は、ライトワンス型のコンパクトディスク（ＣＤ−Ｒ）もしくは書き換え型のコンパクトディスク（ＣＤ−ＲＷ）において、マルチセッションフォーマットを適用した場合の、第１セッションだけをＲＯＭデータとし、第２セッション以降を追記可能とした部分的ＲＯＭ領域を有するディスク（ｈｙｂｒｉｄディスク）が提案されている。
【０００８】
しかし、マルチセッション以外のフォーマットで、固定長パケットでデータを記録する場合にも、特定パケットをＲＯＭ領域として用いる場合の規定もない。しかも、ｈｙｂｒｉｄディスクは、もともとＣＤ−Ｒの場合に規定されたマルチセッションフォーマットをそのままＣＤ−ＲＷに対して規定されているために、書き換え可能（ＲＡＭ）領域である第２セッション以降に対しても、追記機能しか考慮されていない。
【０００９】
そこで、ＣＤ−ＲＷを利用して、プレピット列からなるＲＯＭ領域を有し、一方で、自由に書き換え可能なＲＡＭ領域を有するＲＯＭ／ＲＡＭ混載ディスク（Partial ROM，Ｐ−ＲＯＭディスク）が求められている。
このようなＲＯＭ／ＲＡＭ混載ディスクでは、再生回路を別々に設けることなく、ＲＯＭ領域およびＲＡＭ領域のデータを再生する必要があり、再生システム側からは実質的に区別することができないようにする必要がある。
【００１０】
一方、記録時には、ＲＯＭ領域は書き込み不可能であるのに対し、ＲＡＭ領域の記録済みデータは上書きによって書き換えられるという違いがあり、両者のデータを、少なくとも記録システムでは区別して扱う必要がある。
従来、光磁気ディスクで、部分的にプレピット列からなるＲＯＭ領域を有するディスクの例がある。ＲＯＭ領域は反射層としてＲＡＭ領域と同じ記録媒体で被覆されている。しかし、光磁気媒体では、本来プレピット列からなるデータを再生する場合には反射率強度の変化を検出し、光磁気信号を検出する場合は、複雑な偏光光学系を通して、偏光の変化を検出するという違いがある。すなわち、再生光学系で容易に区別がつくため、たとえ、プレピット列に光磁気信号を誤って記録しても信号再生系には全く影響せず、ＲＯＭデータは破壊されないという性質がある。
【００１１】
一方、相変化媒体においても、ＲＯＭ／ＲＡＭ領域を同じ層構成とすることが製造上好ましい。しかし、プレピット列からなるＲＯＭ領域の再生信号とＲＡＭ領域の再生信号とは、同一の光学系で再生できるため、逆に、プレピット列の上に相変化記録信号（相変化記録層における周辺領域との光学的性質の差異によって形成されるマーク列によって得られる物理的には書き換え可能な信号）を上書きしてしまって、プレピットデータ上にＲＡＭ記録信号が重畳されてしまうと、ＲＯＭデータを破壊してしまう恐れがある。
【００１２】
現在、オペレーティングシステム上で、ファイル単位で書き込み禁止とし、再生専用ファイルを定義した例はあるが、容易に変更・改竄可能で信頼性に乏しいものであった。ファイル属性より下位の、ディジタルデータのビット単位あるいはブロック単位の論理フォーマットレベルでは、書き込み禁止やＲＯＭデータ属性の規定がないのが現状である。
【００１３】
相変化媒体を利用したＰ−ＲＯＭディスクでは記録システムが、オペレーティングシステムに依存せず、ＲＯＭ領域を認識し、あるいは、記録済み領域を再書き込み禁止として、以後はＲＯＭ領域として認識できるようなシステムが必要であり、特に、本来再生専用コンパクトディスクとデータフォーマット・再生信号の物理特性が同じであるように規定されている相変化型のＣＤ−ＲＷディスクにおいて、記録システムからはＲＯＭ領域とＲＡＭ領域とを認識できるようにする工夫が求められる。
【００１４】
なお、相変化媒体を利用したＰ−ＲＯＭの具体的なアプリケーションとしては、語学や音楽の反復練習に使用する教本をＣＤ化したものがあげられる。このようなアプリケーションでは、まず、手本（デモンストレーション）となる外国語のセンテンスや音楽の小節がアプリケーションのデータとして再生され、ユーザーはその反復を促され、ユーザーがただちに、反復復唱した内容を録音して新たな入力情報とし、ユーザーデータ領域に記録するのである。
【００１５】
従来は、かかる応用は、カセットテープで行なわれていたが、デモンストレーションすなわち再生後、反復復唱の記録のために、テープの頭出しや、再生／記録モードに切り換え等煩雑な作業を要していた。一部、個体メモリー素子に置き換えられているケースもあるが、記録容量に制限があるため、長時間あるいは大量のデモンストレーションデータを扱うことができない。また、データ量を少なくするため高度の圧縮技術が採用されており、語学や音楽の学習に必要とされる微妙なニュアンスがデータから欠落する恐れがある。ＣＤ―ＲＷのように６５０〜７００ＭＢの容量があれば、圧縮をほとんど施さなくてもＣＤと同等の品質の音声データが蓄積できるし、ＭＰ３などの音声圧縮技術を用いてさらに音声データ量を増やすこともできる。
【００１６】
ＪＰＥＧやＭＰＥＧ１などの画像圧縮技術を採用すれば、静止及び動画像のデモンストレーション、録画も可能となる。
さて、通常、デモンストレーションは、反復復唱が容易なように、数秒から数十秒の単位に分割されており、デモンストレーションとユーザーデータとの記録は、それぞれ、かかる時間範囲で繰り返し行なわれる必要があり、デモンストレーションとユーザーデータとの記録の切り換えに要する時間はできるだけ短いことが必要である。
【００１７】
そこで、一枚のＣＤ−ＲＷディスクに、アプリケーションプログラムを格納し、該プログラムを再生し、デモンストレーションデータを再生してデモンストレーションを実行した後、反復復唱されたユーザーデータを同じＣＤ−ＲＷディスクに記録できれば同じ記録再生装置で記録再生ができ非常に便利である。
さらに、このようなアプリケーションは、通常、実行プログラムからならメインルーティンと複数の内容からなるデモンストレーションデータ集との2種類のデータをＲＯＭデータとして収録しておく。例えば、メインルーティンは、ユーザーインターフェースとしてメニュー画面が起動され、ユーザーの選択によって各種処理が実行されるようなプログラムである。ユーザーがメニュー画面にしたがって、特定のデモストレーションの実行を選択した場合は、デモンストレーションデータ集から、選択されたデータが取得されて、メインルーティンのプログラムによって、デモンストレーションが実行される。
【００１８】
ここで、メインルーティンはそのままで、ユーザーは、デモンストレーションデータ集さえ更新すれば、少量多品種のアプリケーション配布のためのディスクが効率よく作成できる。電子出版の実情を鑑みて、単なるＣＤ−ＲＯＭではなく、一部は更新可能なＲＯＭデータとして、少量多品種のアプリケーションディスクを作成することは極めて緊急かつ重要な要請である。
【００１９】
【課題を解決するための手段】
本発明の目的は、製造が容易で、ＲＯＭデータの破壊又は改竄（改ざん）の恐れの少ない、Ｐ−ＲＯＭ、並びにデータ記録方法、再生方法及び消去方法であって、データ記録方法，書き換え可能領域のデータ消去方法，書き換え可能型コンパクトディスクの書き換え可能領域のデータ消去方法及び再生専用データの消去方法を提供することである。
【００２０】
より具体的には、再生専用領域と書き換え可能領域との両方を有する、書き換え型コンパクトディスクに関する。
上記目的を達成するため、本発明の第１の要旨は、基板上に相変化型記録層を設けてなり、情報記録領域に第１再生専用領域と書き換え可能領域とを有する光学的情報記録媒体の前記書き換え可能領域にデータを記録する、データ記録方法であって、（１）前記光学的情報記録媒体は、前記第１再生専用領域及び前記書き換え可能領域とが、同一の層構成を有してなり、前記第１再生専用領域及び前記書き換え可能領域のデータ及びアドレス情報が、互いに同一の論理構造を有する基本データ単位からなり、それぞれ再生専用又は書き換え可能なデータであることを識別できる付加データを単位若しくは単位を複数個含むデータ単位ごとに有してなり、前記書き換え可能領域に、その中心線が記録再生用光ビームの走査方向に対して所定の振幅の蛇行を有する溝が設けられていると共に、前記第１再生専用領域におけるデータが、基板上に設けられた複数のプレピット列によって得られ、前記プレピット列の中心線が前記光ビームの走査方向に対して前記溝の振幅と略同一の振幅の蛇行を有しており、且つ、前記溝の蛇行と前記プレピット列の中心線の蛇行とによって連続したアドレス情報が付与されてなり、 前記溝の蛇行と前記プレピット列の中心線の蛇行による搬送周波数が、デジタル情報によって周波数変調又は位相変調されており、それによって前記付加データが付与されてなり、前記光学的情報記録媒体が前記第１再生専用領域を有する書き換え型媒体であることを認識するための識別情報が、前記記録媒体の特定領域の基板上に予めプレピット若しくは溝変形として記載されており、前記識別情報とともに、少なくとも前記第１再生専用領域の開始アドレスが、前記特定領域の基板上に予めプレピット若しくは溝変形として記載されており、前記第１再生専用領域及び前記書き換え可能領域に含まれるファイルのファイル管理情報が前記書き換え可能領域に記載されてなり、前記第１再生専用領域は、所定のアプリケーションプログラムのデータが格納されたアプリケーションプログラム領域を有し、前記書き換え可能領域は、少なくとも前記アプリケーションプログラムに関連するユーザーデータを記録できるユーザーデータ記録領域を有してなり、（２）前記データ記録方法においては、前記光学的情報記録媒体を装填して前記識別情報を取得することにより、部分的に前記第１再生専用領域を有する書き換え可能型相変化型光ディスクであることを認識しうる認識ステップと、前記認識ステップにて認識された前記第１再生専用領域にアクセスして、前記アプリケーションプログラムのデータを取得しそのプログラム内容を実行しうるプログラム実行ステップと、前記プログラム実行ステップにより実行されたアプリケーションプログラムに従って、所要の情報を入力することのできる情報入力ステップと、前記情報入力ステップにより入力された情報をユーザーデータとして記録することのできる記録ステップと、をそなえてなり、前記記録ステップにおいては、記録を行うべき領域の前記付加データを認識して、前記領域が前記書き換え可能領域である場合には記録を行い、前記領域が前記第１再生専用領域である場合には記録を行わずにエラーメッセージを送出して他の領域へ移動することを特徴とする、��ータ記録方法。
【００２３】
そして、本発明の第５の要旨は、前記第４の要旨の光学的情報記録媒体において、前記溝の蛇行と前記プレピット列の中心線の蛇行による搬送周波数が、デジタル情報によって周波数変調又は位相変調されており、それによって付加データが付与されてなる構成を採用する。
また、本発明の第６の要旨は、前記第１の要旨の光学的情報記録媒体において、前記再生専用領域における情報が、相変化記録層における周辺領域との光学的性質の差異によって形成されるマーク列によって得られ、且つ該マーク列に対して書き込み禁止処理がなされている構成を採用する。
【００２４】
加えて、本発明の第２の要旨は、前記第１の要旨の光学的情報記録媒体において、付加データを有する基本データ単位として、固定長のデータを使用する構成を採用する。
さらに、本発明の第３の要旨は、前記第１又は第２の要旨の光学的情報記録媒体において、記録領域のデータが、コンパクトディスク互換であるＥＦＭ変調信号である構成を採用する。
【００２５】
そして、本発明の第４の要旨は、前記第３の要旨の光学的情報記録媒体において、ＡＴＩＰフレームに、書き換え可能か又は再生専用かのどちらの属性に属するかが規定されている構成を採用する。
また、本発明の第５の要旨は、前記第４の要旨の光学的情報記録媒体において、ＡＴＩＰ情報は、分、秒及びフレーム単位でそれぞれ２桁のＢＣＤコードの絶対時間で記載されており、前記分、秒及びフレームを表記する８ビットの最上位桁をそれぞれＭ１、Ｓ１及びＦ１とするとき、プログラム領域における（Ｍ１，Ｓ１，Ｆ１）の（０，０，０）、（０，０，１）、（０，１，０）及び（０，１，１）のいずれかに対応させて、前記属性が規定されている構成を採用する。
【００２６】
さらに、本発明の第６の要旨は、前記第５の要旨の光学的情報記録媒体において、ＥＦＭフレームに、書き換え可能か又は再生専用かのどちらの属性に属するかが規定されている構成を採用する。
加えて、本発明の第７の要旨は、前記第６の要旨の光学的情報記録媒体において、サブコードのＱチャネルのうちの特定の２ビットに対応させて、該サブコードの指定するフレームの前記属性が規定されている構成を採用する。
【００２７】
また、本発明の第８の要旨は、前記第３の要旨の光学的情報記録媒体において、ブロックに、書き換え可能か又は再生専用かのどちらの属性に属するかが規定されている構成を採用する。
そして、本発明の第９の要旨は、前記第４の要旨の光学的情報記録媒体において、ブロックのヘッダーに含まれるモード情報を記載する複数ビットのうちの特定の２ビットに対応させて、該ブロックの前記属性が規定されている構成を採用する。
【００２８】
さらに、本発明の第１０の要旨は、前記第１乃至第９の要旨の光学的情報記録媒体において、書き換え可能か否かの属性が、さらに、初回のみ書き換え可能か否かの属性と、繰り返し書き込みが可能か否かの属性とを有する構成を採用する。
加えて、本発明の第１１の要旨は、前記第３乃至第１０の要旨の光学的情報記録媒体において、マルチセッションフォーマットの規定に従って、プログラム領域を複数のセッションに分割し、分割された一部のセッションを再生専用とし、分割された他のセッションを書き換え可能とした構成を採用する。
【００２９】
また、本発明の第１２の要旨は、前記第４の要旨の光学的情報記録媒体において、プログラム領域を、ＩＳＯ９６６０ファイル構造の再生専用データからなる第１セッションと書き換え型領域からなる第２セッションとに分割し、前記第１セッションのユーザーデータおよびリードアウトを再生専用データとし、リードイン領域、ＰＭＡ領域及びＰＣＡ領域を書き換え可能とした構成を採用する。
【００３０】
そして、本発明の第１３の要旨は、前記第５又は第６の要旨の光学的情報記録媒体において、マルチセッションフォーマットの各セッションのリードイン領域に、該セッションが、書き換え可能又は再生専用のどちらの属性に属するかを示す情報が含まれている構成を採用する。
加えて、本発明の第１４の要旨は、前記第３乃至第１３の要旨の光学的情報記録媒体において、リードイン領域又はマルチセッションフォーマットの最初のセッションのリードイン領域のＡＴＩＰで記載された特別情報に、再生専用領域と書き換え可能領域とを有する光学的情報記録媒体であることを示す情報が含まれている構成を採用する。
【００３１】
また、本発明の第１５の要旨は、前記第３乃至第１３の要旨の光学的情報記録媒体において、リードイン領域又はマルチセッションフォーマットの最初のセッションのリードイン領域のＥＦＭデータに、再生専用領域と書き換え可能領域とを有する光学的情報記録媒体であることを示す情報が含まれている構成を採用する。
【００３４】
さらに、本発明の第１９の要旨は、書き換え可能型相変化記録媒体のデータ消去方法であって、基板上に相変化型記録層を設けてなり、情報記録領域に再生専用領域と書き換え可能領域とを有する記録媒体において、予め基板上にプレピット若しくは溝変形として記載され、記録媒体が部分的にプレピット列若しくは溝変形からなる再生専用領域を含む書き換え型であることを示す識別情報を認識する認識ステップと、再生専用領域のアドレス情報を取得してそのアドレス情報を記憶装置に転送するメモリ転送ステップと、記録媒体のファイル管理領域に記載されたファイル管理情報を消去する消去ステップと、ファイル管理領域に、記憶装置に転送された再生専用領域のアドレス情報を記録する再記録ステップとをそなえて構成を採用する。
【００３５】
そして、本発明の第２０の要旨は、リードイン領域を有するセッション領域を複数有するマルチセッションフォーマットのコンパクトディスクにおいて先頭のセッション領域のリードイン領域に記録された情報に基づき該コンパクトディスクが再生専用領域を有する書き換え型であることを識別する識別ステップと、該複数のセッション領域における該リードイン領域のそれぞれから書き換え可能、一回（初回）だけ記録可能又は書き込み禁止（再生専用）に関する属性を抽出する抽出ステップと、該抽出ステップにて抽出された該属性が該書き込み禁止（再生専用）である場合には、その書き込み禁止（再生専用）セッション領域のファイル構造を記憶装置に転送するメモリ転送ステップと、該先頭のセッション領域における該リードイン領域に記録された情報を消去する消去ステップと、該先頭のセッション領域に、該ディスク識別情報と、該記憶装置に転送された該書き込み禁止セッション領域の該ファイル構造と、書き換え可能な領域の先頭のアドレスとを記録する再記録ステップとをそなえた構成を採用する。
【００３６】
加えて、本発明の第１６の要旨は、前記第１乃至第１５の要旨の光学的情報記録媒体において、前記再生専用領域が、プレピット列によりデータを記録した第１再生専用領域と、データを記録した後に再書き込みを禁止することにより形成した第２再生専用領域とを有するとともに、前記書き換え可能領域とを有する、部分的に再生専用の領域を設けた構成を採用する。
【００３７】
そして、また、本発明の第１７の要旨は、前記第１６の要旨の光学的情報記録媒体において、前記第１再生専用領域に所定の更新不要なアプリケーションプログラムが格納されるとともに、前記第２再生専用領域に更新可能又はカスタマイズされたアプリケーションプログラムが格納され、前記書き換え可能領域に少なくとも前記アプリケーションプログラムに関連するユーザーデータを記録可能なユーザーデータ記録領域を設けてなる構成を採用する。
【００４０】
【発明の実施の形態】
以下、図面を参照して本発明の実施の形態を説明する。
本発明の記録媒体は、基板上に相変化型の書き換え型記録層を設けてなる。従来、ユーザーデータを書き込み可能な情報記録領域以外に、記録再生システムのみがアクセス可能な再生専用情報を記載した例があるが、本発明においては、本来、ユーザーデータを記録可能な情報記録領域内に、再生専用領域を設けるようにする。
【００４１】
本発明の媒体の情報記録領域（プログラム領域）には再生専用領域と、書き換え可能領域との両方が含まれるが、その属性の違いにかかわらず、同一の層構成の媒体を設ける。このような媒体は、通常、相変化型記録層、該相変化型記録層の少なくとも一方を被覆する保護層、該記録層の記録再生光入射側とは反対側に設けた反射層等からなる。いずれの層も、通常スパッタ法で成膜される。成膜法の如何にかかわらず、情報記録領域は、同一の層構成を、同一の手法で設けることが製造プロセスを簡便にし、製造コストを下げる上で望ましい。したがって、ＲＯＭ領域といえども、物理的には書き換え可能な相変化型記録層によって被覆される。
【００４２】
本発明では、ＲＯＭ領域における再生専用の情報の付与の仕方で２種類に分類される。一つはあらかじめ基板表面の変形、すなわち、凹凸などによるプレピット列若しくは溝変形によりユーザーデータが記載され、その上に上記相変化型記録層でもって被覆したものである。他方は、一部領域にデータを相変化記録（初回記録）した後、記録システムが該領域に再び書き込みすることを禁止する処置（書き込み禁止処置）を行なったものである。本発明では以後、プレピット列で記録された再生専用（ＲＯＭ）データをマスターＲＯＭデータと呼び、記録後、書き込み禁止処置により書き換え不可能となり再生専用となったデータをポストＲＯＭデータと呼ぶことにする。本発明においては、通常ポストＲＯＭデータは、相変化記録信号として、即ち、相変化記録層における周辺領域との光学的性質の差異によって形成されるマーク列によって得られる物理的には書き換え可能な信号として与えられる。なお、本発明においては、プログラム領域の特定の領域（実質的に連続した記録トラックおよびアドレスで形成される）がＲＯＭデータで満たされている場合に、その領域をＲＯＭ領域と呼ぶ。
【００４３】
なお、本発明において、ポストＲＯＭを作成する場合は、あらかじめ未記録の書き換え可能領域に、書き込み禁止属性（再生専用）属性を与えておくが、工場もしくはソフト作成者側においては特殊記録ドライブにより該再生専用領域にユーザーに配布して、ユーザー側ではこれを再生専用領域として確認させる場合がある。
【００４４】
あるいは、未記録状態では書き換え可能な書き換え可能領域として属性を定義し、工場もしくはソフト作成者側が編集目的で１回もしくは複数回のデータの書き換えを行なった後や、編集終了後に該編集済みデータに新たに書き込み禁止属性（再生専用属性）を与えて、ユーザーに配布する場合がありうる。
一方、一回（初回）だけ記録可能属性を与えた書き換え可能領域を未記録状態のままユーザーに配布し、ユーザーにおいて一回（初回）だけ記録可能として擬似的なライトワンス媒体として配布することもできる。この場合、ユーザー側において一回だけ記録（初回記録）を行なった後は、書き換えが不可能となる。つまり、たとえ書き換え可能領域が、物理的に書き換え可能であっても、ユーザーにおいては未記録のライトワンス媒体として機能する。そして、工場もしくはソフト作成者側が、この一回だけ記録可能な領域に記録して、ユーザーに配布すれば、やはり、ユーザー側では書き込み不可能であるから、再生専用領域として利用できる。
【００４５】
これに対して、書き換え可能なデータをＲＡＭデータと呼び、ＲＡＭデータで満たされた情報記録領域の一部を、ＲＡＭ領域と呼ぶ。ＲＡＭ領域は、必ずしも最初からＲＡＭデータを記録してあるわけではなく、データの書き込みが可能な領域であって、書き込み禁止処置をとられていない領域である。
さて、本発明ではデータに再生専用と書き換え可能とに応じた属性を付与して、少なくとも記録システムから該属性を識別可能とする方法を提案するとともに、該属性によってＲＯＭもしくはＲＡＭと規定されたそれぞれのデータ領域の両方を設けてなる媒体を提案する。本発明においては、該データの属性は、データの基本単位ごとに設定する。ここで、データの基本単位とは、記録再生ドライブ装置のデータ処理において、一まとまりで処理される単位であって、例えばＣＤフォーマットでは下記で詳細に述べるような、ＡＴＩＰの１／７５秒単位のＡＴＩＰフレーム、ＥＦＭデータでサブコートが付与される９８ＥＦＭフレーム、ＣＤ−ＲＯＭフォーマットで２３５２バイトのデータからなるブロックといった単位である。複数のブロック（通常は１６もしくは３２ブロック）からなるパケットも基本単位とみなせる。これらは、個々のデータ単位の容量が、一定の固定長のデータ単位の例である。また、ＲＯＭ乃至はＲＡＭ領域そのものを一括りとして、ＣＤのフォーマットにおけるトラックとみなすこともできるし、ＣＤのマルチセッションフォーマットの規定にのっとってセッションを形成する場合も、該セッションをひとつの単位とみなせる。あるいは、必ずしも一定数でない固定長のブロックのまとまりであるパケットも一つのデータ単位とみなせる。これらは、個々のデータ単位の容量が一定でない可変長のデータ単位の例である。
【００４６】
より一般的には、ユーザーデータを２nバイト（５１２，１０２４，２ｋ，４ｋ，１６ｋ，３２ｋ，６４ｋ，…，バイト等）単位に区切り、エラーのためのパリティビット等の冗長データを付加して、論理的な最小の基本データ単位とする。この基本データ単位は、さらに、複数個まとめたデータ単位（固定長とは限らない）も、やはり、基本データ単位の一種である。そして、これらの基本データ単位ごとにアドレスや、データ属性の付加データを付与する。
【００４７】
本発明では、好ましくは、基本データ単位として、固定長データ、特にアドレス付与の最小単位であるものを使用する。その結果、記録再生ドライブ装置のより下位（ハードウェアに近く、ユーザーの操作が及びにくくなる）のレベルにおいて、確実に、書き換え可能か再生専用かを示すデータ属性を付与することができる。固定長データ単位を複数個まとめた可変長データ単位にデータ属性を付与することもできるが、この場合にも、下位の固定長データ単位ごとに同一のデータ属性を付与することが望ましい。
【００４８】
アドレスを含む付加データは、上記ユーザーデータの基本単位と同様のビット情報として一連のビット列を構成するように付加されても良いし、上記ユーザーデータの基本単位に隣接しつつ、別種の信号によって空間的に分離して付加しても良い。
前者の例は、後述のＣＤフォーマットにおけるＥＦＭ信号中のサブコードと呼ばれる、付加的なビット列であり、また、後者の例は、やはりＣＤ−ＲやＣＤ−ＲＷに用いられる溝変形（ｗｏｂｂｌｅ）による付加データ（ＡＴＩＰ情報）である。あるいは、付加データによる付加は、溝間やプレビット列間に配置されたピット列であっても良いし、基本データ単位のユーザーデータ列の前後に配置されたピット列であっても良い。
【００４９】
いずれにせよ、アドレス情報とともに、再生専用，一回（初回）だけ記録可能、（繰り返し）書き換え可能であるかの基本データ単位の属性情報が、予め基板上に書き換え不可能な情報として、記載されていることが望ましい。つまり、各基本データ単位に割り振られたアドレスが、基板上に予め記載され、そのアドレスごとに、そのアドレスに記録されるべきデータの属性を予め記載しておくが、その記載方法が書き換え不可能な信号で記載されていることが望ましい。記録ドライブ側が、このデータ属性情報に従って、所定のアドレスに所定の属性を有するデータを記録するように設計されれば、ユーザー側でのデータ属性変更を簡単に行なうことはできないので、再生専用領域のデータが相変化記録による重ね書きにより破壊されたりする危険性が低減されるからである。
【００５０】
ここでいう書き換え不可能な信号とは、溝変形のような物理的変形を基板上に射出成形によって形成することでも達成されるが、「ユーザー側で書き換え不可能」であれば、相変化記録による記録信号であっても構わない。「ユーザー側で書き換え不可能」な記録信号とは、ユーザー側からは、暗号等の特殊処理によって、書き換え不能とされた信号である。
【００５１】
従って、基本データ単位に付加されるアドレス及び付加データが、書き換え可能領域及び再生専用領域において、予め基板上に記載されていることになる。
ここで、ＲＯＭ領域とＲＡＭ領域とのデータ、データ属性及びアドレス情報は、それぞれ、互いに同一の論理構造を有する。つまり、同一の基本データ単位を有し、該基本単位ごとに、ユーザーデータが区切られて、データ属性及びアドレス情報が付加されている。その結果、同一の再生（論理）回路で再生（解読）可能となる。
【００５２】
ＲＡＭ領域においては、未記録でも光ビームの案内が可能なように、同心円もしくは螺旋状の案内溝が形成されているのが通常である。また、この際、光ビームの走査方向に対して所定の振幅を有するように、前記溝を蛇行させるのが好ましい。該蛇行による情報の付与によって、書き換え不可能領域と書き換え可能領域とを識別することができる。ディスク（円板）状媒体では、通常、同心円ないしは螺旋状に案内溝が形成されるので、光ビームは、概ね円周方向に走査して案内溝に追従し、溝蛇行は半径方向の振幅をもって形成される。
【００５３】
ポストＲＯＭ領域においても、最初に記録を行なうために、上記同様の案内溝を有するのが好ましい。
また、マスターＲＯＭ領域においてはプレピット列が設けられているが、この場合、該プレピット列の中心線が、記録再生用光ビームの走査方向に対して前記案内溝の振幅と略同一の振幅の蛇行を有するようにプレピットを設けるのが好ましい。その結果、マスターＲＯＭ領域と書き換え可能領域とで連続したアドレス情報を付与することができる。本発明では、プレピット列の中心線も含めて広義の案内溝と呼ぶこととする。
【００５４】
本発明においては、溝変形によって基板上にあらかじめアドレスを付与するのが特に好ましい。未記録のＲＡＭ領域では特に、所定の位置にアクセスするのに図１（ａ）に示すような溝蛇行（ウォブル）によるアドレスを参照することがすでに広く実施されている。図１（ａ）において、書き換え領域５１において案内溝５０は、溝壁面５０ａ及び５０ｃに囲まれる凹状の部分であって、通常は、基板上に原板（スタンパ）の凸形状を転写して得られる。そしてこの案内溝５０の蛇行によってアドレス情報が付与され、レーザー光がこの溝の形状を読み取ることにより、アドレス情報が得られるのである。
【００５５】
溝蛇行によるアドレスは、周波数一定の波（搬送波）を、０及び１のデジタルデータによって周波数変調（ＦＭ変調）したり、位相変調したりすることで付与することができる。
アドレス情報を付加された溝変形のうち、特に溝蛇行（ウォブル）で案内溝に沿って割り振られたアドレスは、上記した広義の案内溝の概念にも適用でき、図１（ｂ）のごとく、ピット列（プレピット）５２の実際の中心線５０ｂをＲＡＭ部の溝５０と同じ周波数で蛇行させれば、マスターＲＯＭ、ポストＲＯＭ、ＲＡＭ領域の如何にかかわらず、連続的な搬送波による溝蛇行でアドレス付与が可能となる。また、アドレスのみならず、他の付加情報を付与することも可能となる。
【００５６】
再生システムからはＲＯＭ領域と、ＲＡＭ領域とが区別なくアクセスでき再生できることが望ましいことから、ＲＯＭ領域およびＲＡＭ領域は連続的な通し番号を有するアドレス情報をもつことが望ましい。該アドレス情報は、上記のように溝変形として付与される場合と、記録データの一部として含まれる場合とがある。記録データの一部として含まれる場合は、ＲＡＭ領域とＲＯＭ領域のデータとが同じフォーマットとして、同一の論理構造を有するアドレス情報を付与できる。また、図１（ｂ）で示すような広義の溝蛇行を利用する場合には、ＲＡＭ領域の溝蛇行５０の振幅と、マスターＲＯＭ領域のピット列５２の実際の中心線５０ｂの蛇行の振幅とがほぼ同じであれば、一つの溝蛇行再生回路で全領域のアドレス情報を切れ目なく再生できる。ここで、ほぼ同一とは、ウォブル信号再生回路において、ほぼ同等の信号振幅が得られる程度を意味し、通常、一方の振幅の大きさが他方の振幅の大きさの2倍以内の大きさになるようにする。
【００５７】
通常、溝蛇行の再生は、プッシュプル信号再生回路を用いるが、図１（ａ）及び（ｂ）のいずれの場合にも該再生回路は適用可能である。なお、プッシュプル信号回路とは、溝または凹状ピットから反射された光の回折光を、溝の左右に分割された２分割ディテクタで検出して、その差分を取るもので、当業者において周知の技術である。
【００５８】
プレピット列からなるＲＯＭ信号と相変化記録によるＲＡＭ領域の記録済み信号とは、もちろん、同一の変調方式を用いて、同じ論理回路でデコードできることが望ましい。さらに、同じ再生装置で再生するためには、両方の領域の記録信号が、実質的に同じ反射率、変調度を有することが必要である。例えば、通常、ＣＤ−ＲＯＭにおける凹状のプレピットによる信号は、反射光の位相差により、ピット位置で反射率が低下するから、ＲＡＭ領域においても未記録状態の反射率が高く、記録状態で反射率が低いことが望ましい。相変化型記録層においては、通常、未記録状態を結晶状態に対応させ、記録状態を非晶質状態に対応させる。ただし、その逆であってもよく、また、異なる結晶状態同士をそれぞれに対応させてもよい。
【００５９】
本発明においては、マスターＲＯＭ領域も、ＲＡＭ領域と同じ層構成であるので、再生システムからはＲＯＭ領域とＲＡＭ領域との区別はつきがたい。また、ポストＲＯＭ領域はもちろん、マスターＲＯＭ領域でさえも、相変化記録層自体にデータの上書きをすることは物理的には可能であるから、ＲＯＭデータとして改竄不能、消去、破壊不能であるためには、少なくとも記録用ドライブにＲＯＭ領域であることを認識させる必要がある。
【００６０】
このため、記録システムに、該相変化型記録媒体が部分的に再生専用領域を有する書き換え型媒体（Ｐ−ＲＯＭ）であることを認識させるため、該記録媒体の特定領域にＰ−ＲＯＭであることを示す識別情報を記載することが望ましく、また、その識別情報がプレピットや溝変形などのマスタＲＯＭデータとして、予め、基板上に記載されていることがより望ましい。
【００６１】
従って、部分的再生専用領域を含む書き換え型であることを示す識別情報が、予め基板上にプレピット若しくは溝変形として記載されていることになる。
さらに、本発明においては、ＲＯＭ領域あるいはＲＡＭ領域にかかわらず、各領域に記録されたユーザーデータのファイル管理情報は、一括してＲＡＭ領域に記載することが望ましい。この場合、ＲＡＭデータであるファイル管理情報の消去又は上書きによって、誤ってＲＯＭ領域のファイル管理情報をも失うことを防止する必要がある。このため、該ＲＯＭ領域にアクセスするためのアドレス情報をも上記特定領域に予めマスターＲＯＭ領域として記載（登録）しておくことが望ましい。
【００６２】
本発明においては、さらに、連続したアドレスからなる一まとまりのＲＯＭ領域ないしはＲＡＭ領域を、それぞれ、可変長のデータ単位とみなし、該可変長データ単位ごとに、ＲＯＭないしはＲＡＭであることのデータ属性を付与することができる。また、少なくとも、ＲＯＭ領域に関しては、該連続したアドレスからなる可変長のデータ単位からなる個々のＲＯＭ領域のアドレス情報を、好ましくは該データ属性とともに、ディスク上の特定領域に一括して登録することが望ましい。この登録すべきアドレス情報としては、各領域の開始アドレスのみならず、その長さ（容量）若しくは終了アドレスも併せて登録することが望ましい。
【００６３】
さらに、好ましくは、ディスクが、再生専用領域のみを有する再生専用型か、部分的に再生専用領域を有する書き換え型（Ｐ−ＲＯＭ）か、あるいは、書き換え可能領域のみを有する書き換え型かのいずれかを識別できるディスク識別情報が、上記ディスク上の特定領域に記載されていることが望ましい。
従って、前記再生専用領域のデータがプレピット列からなり、識別情報とともに、再生専用領域のアドレス情報が、予め基板上にプレピット若しくは溝変形として記載されており、再生専用領域及び書き換え可能領域に含まれるファイルのファイル管理情報が書き換え可能領域に記載されていることになる。
【００６４】
このようにすれば、記録用ドライブにディスクが挿入されたときに、Ｐ−ＲＯＭディスクであることの認識が可能となり、ＲＯＭ領域に関するファイル管理情報を取得してシステム上のメモリに待避させることができる。かかる手段は、ファイル管理情報のみを消去ないしは、オーバーライトしてディスクを誤って初期化し、ＲＯＭ領域にアクセスできなくなったり、ＲＯＭ領域の存在を認識せずにオーバーライトしてＲＯＭデータを破壊することを防止するために有効である。
【００６５】
なお、再生専用領域、特にマスターＲＯＭ領域の開始アドレス、容量、終了アドレス等のファイル管理情報が、ファイル管理領域においても、プレピットや溝変形等のマスターＲＯＭデータとして記載されていれば、上記の初期化操作によって誤って消去される可能性が低くなる。該ファイル管理領域を未記録状態にした場合は勿論、オーバーライトしてしまった場合でも、未記録状態に復帰させれば、マスターＲＯＭデータは、再度、再生可能である。
【００６６】
逆に、マスターＲＯＭデータ、特に、プレピット列からなるＲＯＭデータを有する再生専用領域の相変化型記録層に、該ＲＯＭデータとは異なるデータを上書き（オーバーライト）することによって、ＲＯＭデータを消去することもできる。この場合、例えば工場もしくはソフト作成者側は、ユーザー側に見られたくないデータを、より確実に隠すことが可能となる。
【００６７】
すなわち、マスターＲＯＭ領域とポストＲＯＭ領域との両方を有する媒体に対して、マスターＲＯＭ領域に含まれるアプリケーションソフトのデータの一部を更新してポストＲＯＭ領域に記録し直すような使用方法（この使用方法については後述する。）において、例えば工場もしくはソフト作成者側は、マスターＲＯＭ領域における更新されるべき一部のデータを上記消去方法を用いて消去することができる。
【００６８】
従って、本発明の再生専用データの消去方法は、基板上に相変化型記録層を設けてなり、基板上に設けられた複数のプレピット列によって再生専用データが形成された光学的情報記録媒体の再生専用データの消去方法であって、相変化型記録層に再生専用データとは異なるデータを上書きすることにより、再生専用データの読み出しができないようにするように構成されたことになる。
【００６９】
本発明では、特に、アドレス付与の最小単位である基本データ単位に付加される付加データに、所定のデータ属性情報を含ませるのが好ましい。
本発明の光学的情報記録媒体における一つの有用な実施形態においては、記録領域のデータを、コンパクトディスク互換であるＥＦＭ変調信号とする。従って、以下では、ＣＤおよびＣＤ−ＲＷのフォーマットおよび用語を用いて本発明の詳細を記載するが、同様の趣旨であれば、ＣＤフォーマットそのものに限定されるものではない。
【００７０】
なお、以下に述べるＣＤフォーマットに関する一般的情報は、「ＣＤファミリー」、中島平太郎・井橋孝夫・小川博司共著、オーム社、「コンパクトディスク読本」、中島平太郎・小川博司共著、オーム社、「ＣＤ−Ｒ／ＲＷオフィシャル・ガイドブック」、オレンジフォーラム著、エクシードプレス社及び特開平１１−２５０５２２号公報等において開示されている。
【００７１】
（Ａ）本発明の一実施形態の説明
ＣＤの論理データ構造は、レッドブックの規定によって規定された主として音楽データに適した論理フォーマットと、イエローブックによって規定され、国際規格ＩＳＯ９６６０となった汎用のブロック単位でのデータ記録に適したフォーマットとの２種類がある。以下では、主としてデータ記録用のＣＤ−ＲＯＭフォーマットのうちモード（ｍｏｄｅ）１と呼ばれるフォーマットを想定して説明を進めるが、モードの差異はユーザーデータの構成やユーザーデータに付加される誤り訂正情報の内容の違い等に関連しており、本発明の本質に影響するものではない。
【００７２】
一方、ＣＤ−ＲＷはオレンジブック・パート３によって規定されている。その記録された論理データ構造は、基本的にＣＤ−ＲＯＭに準じており、ＣＤ−ＲＯＭの再生回路を使用して再生可能となっている。記録されたＥＦＭランダム信号は、図２における再生信号波形で、Ｉtopを反射率に換算した場合に１５〜２５％であり、１１Ｔマークの振幅Ｉ11とＩtopの比Ｉ11／Ｉtopが０．５５〜０．７であり、３Ｔから１１Ｔの各マークのマーク長及びマーク間長のジッタが、ＣＤ線速（１．２〜１．４ｍ／ｓ）において、３５ｎｓｅｃ以下であること等が満足されれば、書き換え型コンパクトディスク対応のドライブでＣＤ互換信号として再生可能である。
【００７３】
図３（ａ）は本発明を適用されるＣＤ−ＲＷディスク１０の層構造を示す模式図である。この図３（ａ）に示すＣＤ−ＲＷディスク１０の層構造は、多層となっており、表面に案内溝及び／又はプレピットとなる凹部４９を形成しうる基板（ポリカーボネート基板）１１０ｆと、相変化型記録層（記録層）１１０ｄにおけるレーザ光の吸収量を制御し、多重干渉効果によって反射率を調整するとともに、記録層からの放熱を制御し、記録層や基板の熱変形を抑止する保護層１１０ｅ，１１０ｃと、基板１１０ｆを被覆して基板１１０ｆに形成された凹部４９の形状とほぼ同一再生信号得られる非晶質マークを形成しうる相変化型媒体の記録層１１０ｄと、レーザ光を反射し、記録層からの放熱を促進するために、記録層１１０ｄの記録再生光入射側とは反対側に設けられた反射部材からなる反射膜１１０ｂとからなる。なお、保護コート１１０ａは、光ディスクの表面が傷つけられることから保護するものである。また、保護コート１１０ａを、後述する図３（ｂ）のように凹部４９の表面形状に沿って被覆するのではなく、凹部４９を埋め立てるように被覆しても良い。
【００７４】
また、記録再生用の集束光は、基板１１０ｆを介して、記録層１１０ｄに集光される。ここで、ＣＤ−ＲＷの記録再生は、波長約７８０ｎｍ、集束レンズの開口数ＮＡ（Ｎｕｍｅｒｉｃ  Ａｐｅｒｔｕｒｅ）が約０．５の光学系が用いられる。
図３（ｂ）はＣＤ−ＲＷディスク１０の凹部４９の模式図である。この図３（ｂ）に示す凹部４９は、基板層１１０ｆの形状を再現するようになっている。また、いずれの層も、スパッタ法で成膜されることが多い。さらに、成膜法の如何にかかわらず、情報記録領域として、同一の層構成が形成され得るので、製造プロセスが簡便になり、製造コストを低減させることができる。
【００７５】
図４（ａ）は本発明を適用されるＣＤ−ＲＷディスクの領域を説明するための図であり、図４（ｂ）は本発明を適用されるＣＤ−ＲＷディスクの斜視図である。
図４（ａ），（ｂ）に示すＣＤ−ＲＷディスク１０は、ディスク最内周から順にＰＣＡ（Ｐｏｗｅｒ  Ｃａｌｉｂｒａｔｉｏｎ  Ａｒｅａ），ＰＭＡ（Ｐｒｏｇｒａｍ  Ｍｅｍｏｒｙ  Ａｒｅａ），リードイン領域、プログラム領域、リードアウト領域からなるデータ構造を有する。このうち、ＰＣＡは最適記録パワー決定のための試し書き領域、ＰＭＡは、ＣＤ−ＲやＣＤ−ＲＷに特有の一時的なファイル管理情報記録領域、リードイン領域は本来ＣＤ−ＲＯＭフォーマットで用いられるＴＯＣ（Ｔａｂｌｅ  ｏｆ  Ｃｏｎｔｅｎｔｓ）と呼ばれるファイル管理情報やディスク管理情報を記載する領域、リードアウト領域は、ＥＦＭデータの終わりを示すための領域であり、プログラム領域はユーザーデータを記録すべき領域であり、本発明においては、このプログラム領域は、再生専用領域と書き換え可能な領域との両方を有する。従来のＣＤ−ＲＯＭとの再生互換を維持するためには、リードインおよびリードアウト領域に所定情報を記録することが必要である。
【００７６】
本発明においては、少なくともＰＣＡ領域の始端Ｂからリードアウト領域の終端Ｄまでの領域（図４（ｂ）で斜線の領域）は、同一の相変化媒体で被覆されている。より具体的には、図３（ａ）で説明した層構成を有している。
従って、この光学的情報記録媒体は、相変化型媒体で覆われた領域であって６層を有し読み出し可能な再生専用領域と、相変化型媒体で覆われた領域であってその６層と同一の層構造を有し情報の書き換え可能な書き換え領域とをそなえてなり、また、この書き換え領域は、図１（ａ）のごとくレーザ光を誘導すべく設けられた蛇行した案内溝５０が設けられている。
【００７７】
プログラム領域において部分的なＲＯＭ機能を実現する領域は、２種類あって、一つは、予め基板１１０ｆに形成された凹部４９によるプレピット列（予め先に形成されたピットの列）を用いてデータを記録し、基板１１０ｆの上に記録層１１０ｅを設けた領域（マスターＲＯＭ領域）である。他方は、記録層１１０ｄ中のマークとしてデータを記録した後、記録ドライブ装置がその一部の領域に再び書き込みすることを禁止された領域（ポストＲＯＭ領域）である。
【００７８】
書き換え領域のみが存在して、ＲＯＭ領域としてポストＲＯＭ領域のみが存在する場合には、ＰＣＡ領域の始端Ｂからからリードアウト領域の終端Ｄにかけてプレピットは存在せず、案内溝５０のみが存在する。一方、マスターＲＯＭデータによるマスターＲＯＭ領域を有する場合には、ピット列５２と案内溝５０とが存在するが、この場合、図１（ｂ）のごとくピット列５２の実際の中心線５０ｂが案内溝５０と同程度の振幅の蛇行を有するように、広義の案内溝が連続的に構成されることが望ましい。
【００７９】
いずれにせよ、ＰＣＡ領域の始端Ｂからリードアウト領域の終端Ｄにかけて、広義の案内溝にそってアドレス情報を付与するために、案内溝により絶対時間で表されたアドレス情報及び同期信号が与えられている（ＡＴＩＰ情報，ａｂｓｏｌｕｔｅ ｔｉｍｅ ｉｎ ｐｒｅｇｒｏｏｖｅ）ことが望ましい。絶対時間アドレスは、１／７５秒を最小単位（フレーム）とし、分、秒、フレーム単位で表記される。図４（ａ）においてプログラム領域の始点ＡにおいてＡＴＩＰは０分０秒０フレーム（以後００：００：００のように記載）から始まり、最大７９：５９：７４フレームまで続く。データ容量に応じて、プログラム領域の最大ＡＴＩＰアドレスは変化しうる。さて、プログラム領域は図４（ａ）のＣ点において、リードアウト領域に移行する。リードアウト領域のＡＴＩＰアドレスは、プログラム領域の最終ＡＴＩＰアドレスを引き継いで連続して増加する。通常、リードアウト領域の長さは１−２分程度である。一方、ＰＣＡ,ＰＭＡ,リードイン領域は、図４（ａ）のＢ点からＡ点にかけて配置される。そのＡＴＩＰアドレスはＡ点で００：００：００としてリセットされたのち、Ａ点からＢ点（ＰＣＡの最初のアドレス）に向かって、９９：５９：７４から順次減少していく。ＰＣＡ，ＰＭＡ，リードインにおけるＡＴＩＰアドレスは８０あるいは９０分台しか使用できないことになっている。
【００８０】
本発明では、ＣＤフォーマットにおいて、ＡＴＩＰフレーム、ＥＦＭフレーム、約２ｋバイトのブロック単位のデータという３階層のうち少なくとも１つの階層で、書き換え可能か又は再生専用かの属性が規定されているのが好ましい。これは、ＣＤ−ＲＯＭシステムにおいてデータを操作できる最小の単位に関連しており、下位のレベルでのデータ属性の定義が可能となるからである。
【００８１】
また、上記書き換え可能との属性は、さらに書き換え不可能（一回だけあるいは初回のみ書き換え可能）か否かの属性と、繰り返し書き換えが否かの属性とを有するのが好ましい。即ち、最も好ましい態様においては、上記３階層のうち少なくとも１つの階層で、書き込み禁止（再生専用）、一回だけ（初回だけ）記録可能（記録後はポストＲＯＭ領域として機能）、書き換え可能（繰り返し書き換え可能）の少なくとも３種類の属性を付与する。
【００８２】
ここで、書き込み禁止（再生専用）属性は、マスターＲＯＭやポストＲＯＭデータへの上書きを禁止し、再生専用データとして扱うことを宣言するものである。一回だけ書き換え可能な属性は、該属性を与えられたアドレスには、後述のフォーマッティング時の記録は別として、一回だけユーザーデータ記録が行なえるようになり、擬似的なＣＤ−Ｒディスクを実現するもので、ＣＤ−ＲＷディスクにおけるデータ改竄を防止するのに有効である。
【００８３】
また、属性の種類はこれら３種類に限定されるものではなく、用途によっては条件付再生可能や、条件付書き換え可能といった設定も可能である。ここで、条件付再生可能とは、例えば、あらかじめ決められた暗号等を入力しない限り、再生できないようなデータである。同様に条件付書き換え可能とは、例えばあらかじめ決められた暗号を入力しない限り、記録ができないことである。
【００８４】
さて、ＣＤ−ＲＷでは少なくともアドレスデータの付加方法として３つの階層がある。これは、ＣＤフォーマットにおいてデータのひとまとまりを規定する基本データ単位と関連している。つまり、データの基本単位ごとにアドレスが付加されるから、データ属性情報もまた、アドレスデータの基本単位ごとに付加されるのが自然であり、アドレス情報データビットの冗長度を利用するのが好ましい。さて、アドレス付与の階層としては
（１）蛇行（ウォブル）によるＡＴＩＰフレーム
（２）ＥＦＭ信号において、ユーザーデータに付加されたサブコード（９８ＥＦＭフレーム毎）
（３）ＣＤ−ＲＯＭフォーマットにおける約２ｋＢ長のブロックのヘッダー
の３階層があげられる。いずれも、ＡＴＩＰの最小単位である、１フレーム１／７５秒に対応しており、基本的にディスクに物理的に固定されたアドレスであるＡＴＩＰアドレスに同期しており、ＡＴＩＰと同じ分、秒、フレーム単位で記載される。ユーザーデータからみると、まず、ＣＤ−ＲＯＭフォーマットのブロック単位（２３５２バイト）に区切られ、それがＥＦＭ変調される過程でサブコードアドレスが付加され、該アドレスとＡＴＩＰアドレスとが位置的に対応するように、所定ＡＴＩＰアドレスにＥＦＭ信号が記録されるのである。
【００８５】
以下に、まず、前述のウォブルのＡＴＩＰ信号、ＥＦＭ信号のサブコード、ＣＤ−ＲＯＭフォーマットのブロック構造３つの階層でのデータ属性付与方法を、それぞれ（Ａ１），（Ａ２），（Ａ３）にて具体的に述べる。以下の説明ではＣＤ及びＣＤ−ＲＷについてのフォーマット及び用語を用いる。
（Ａ１）ウォブルによるＡＴＩＰフレームを用いた方法
この方法は、最も下位階層にて付与される方法であって、基板にあらかじめ形成される形状によって、再生専用領域あるいは、一度だけ書き換え可能な領域を規定することであり、具体的にはウォブルに記載されたＡＴＩＰ情報を利用するものである。
【００８６】
ＡＴＩＰ情報はアドレスの最小単位（フレーム）が１／７５秒であり、また、溝蛇行の空間周波数が２２．０５ｋＨｚであるから、１フレームには２９４周期の蛇行が含まれる。また、１フレームには４２ビットの情報が含まれるので、７周期ごとに１ビットが対応する。つまり、データが０であるか１であるかに従って、７周期ごとに±１ｋＨｚの周波数変調（ＦＭ変調）を行なう。ＡＴＩＰ情報４２ビットには絶対時間情報及びそれに付随する誤り訂正情報とともに、該データを復号するための同期ビットも含まれる。
【００８７】
図５は、ＡＴＩＰのデータ構造を示す図である。この図５に示す３種類のバイト２２ａ，２２ｂ，２２ｃは、それぞれ、ＦＭ変調されたウォブルをデコードして得られたものである。そして、バイト２２ａは、分の情報を表し、バイト２２ｂは、秒の情報を表し、また、バイト２２ｃは、フレームの情報を表すものである。さらに、分、秒、フレーム（１／７５秒）の各単位は、２桁のＢＣＤ(Ｂｉｎａｒｙ  Ｃｏｄｅｄ  Ｄｅｃｉｍａｌ)で表されているので、ＡＴＩＰ情報は、各桁４ビットの合計８ビット（１バイト）で表現されるようになっている。そして、各バイト２２ａ，２２ｂ，２２ｃの最上位桁ビットである（Ｍ１，Ｓ１，Ｆ１）がそれぞれ、利用されるのである。
【００８８】
以下、これらの（Ｍ１，Ｓ１，Ｆ１）が利用される態様について説明する。
コンパクトディスクの規定としてプログラム領域におけるＡＴＩＰ情報の値は００分００秒００フレームから、最大でも７９分５９秒７４フレームまでと規定されているので、本来プログラム領域では、ＢＣＤで８０分もしくは９０分台に相当するデータは現れない。つまり、図５において、各単位のＭＳＢ（ＭｏｓｔＳｉｇｎｉｆｉｃａｎｔ  Ｂｉｔ，最上位桁ビット）であるＭ１，Ｓ１，Ｆ１のいずれかのビットに“１”がたつことはない。ＣＤ−ＲＷディスクのリードイン領域ではあえて、Ｓ１乃至はＦ１に“１”がたつ場合には下位ビットを利用して、ディスクの記録条件等の特別情報が記載されるようになっている。
【００８９】
特に、分単位のＭＳＢであるＭ１ビットに“１”がたつと、８０もしくは９０分以上のデータで、リードイン、ＰＣＡ，ＰＭＡもしくはリードアウト領域と間違われるが、近年はプログラム領域を７９分５９秒７４フレームぎりぎりまで割り当て、８０分以上をリードアウトに割り当てることが多いので、リードアウト領域のＡＴＩＰアドレスをデータ領域のＡＴＩＰアドレスと特に区別しないようになっている。一方、８０分以上のアドレスはＰＣＡ，ＰＭＡ，およびリードイン領域に割り当てられるとされていた。つまり、Ｍ１＝１となった場合のみは、プログラム領域およびリードアウト領域以外のアドレスと判別することが可能である。また、リードイン領域に記載されるファイル管理情報の一部に、リードアウトの開始アドレスが絶対時間で記載されるから、この情報に基づき、プログラム領域とリードアウト領域とを識別できる。
【００９０】
一方、プログラム領域は明らかに（Ｍ１，Ｓ１，Ｆ１）＝（０，０，０）しかありえない。なぜなら、秒単位では５９秒までであるから、ＢＣＤの十の桁で８，９に相当する、１０００、１００１は現れないし、フレーム単位では７４フレームまでであるから、やはり十の桁のＢＣＤで８，９に相当する１０００，１００１は現れないからである。狭義には（Ｍ１，Ｓ１，Ｆ１）＝（０，０，０）の場合に限って、プログラム領域とみなすということもできる。
【００９１】
このように、プログラム領域においてＭ１，Ｓ１，Ｆ１ビットの組み合わせ（Ｍ１，Ｓ１，Ｆ１）＝（０，０，１）、（０，１，０）、（０，１，１）を該当するＡＴＩＰフレームの属性情報として利用し、かつ、下位のビットで該ＡＴＩＰフレームの絶対時間を記載することが可能になるのである。
従来（Ｍ１，Ｓ１，Ｆ１）＝（０，０，１）、（０，１，０）、（０，１，１）の組み合わせはリードイン領域にのみ存在する特別情報に割り当てられていた。つまり、絶対時間としてＭ１＝１しかとりえないリードイン領域にＭ１＝０で始まるＡＴＩＰ情報があれば、残りのビットには絶対時間ではなく、特別情報（推奨記録条件等）が記載されていると解釈されるのである。
【００９２】
本発明では、プログラム領域では従来、未定義であった、特殊な（Ｍ１，Ｓ１，Ｆ１）の組み合わせを、ＡＴＩＰフレームの属性情報に割り当てることを提案するものであり、従来機種との互換性を大きく損ねることなく実装可能な手法として優れている。
まず、Ｍ１＝０及びリードイン領域に記載されるリードアウト開始時間情報によってプログラム領域であることを判別し、ＭＳＢ＝（Ｍ１，Ｓ１，Ｆ１）＝（０，０，０）なら、そのＡＴＩＰフレームに対応するデータは、従来どおりの書き換え可能データと判別する。（０，０，１）、（０，１，０）、（０，１，１）ならば、該ＡＴＩＰフレームの属性を定義することができる。なお、ＭＳＢのＭ１，Ｓ１、Ｆ１の如何にかかわらず、ＢＣＤの十の桁の下位３ビットおよび一の桁の４ビットから、００：００：００から７９：５９：７４までの任意のＡＴＩＰアドレスを表現できるから、アドレス付与になんら支障はない。
【００９３】
本発明では（Ｍ１，Ｓ１，Ｆ１）＝（０，０，１）、（０，１，０）、（０，１，１）のいずれに対応させるかは別として、プレピットによる書き込み禁止（再生専用）、一回（初回）だけ記録可能（記録後はポストＲＯＭ領域として機能）、書き換え可能（繰り返し書き換え可能）の少なくとも３種類の属性を割り当てる。
【００９４】
なお、プレピットに上記ＡＴＩＰ情報を付加するには、図１（ｂ）のように、プレピット列５２の中心線５０ｂを書き換え可能領域とほぼ同じ振幅で蛇行させればよい。プレピットのプッシュプル信号から、溝蛇行によるウォブル信号と全く同様に容易にウォブル信号およびＡＴＩＰ情報を再生でき、特別な回路を必要としない。
【００９５】
図６は、ＡＴＩＰを利用したファイル書き込みのフローチャートである。まず、光ヘッドが所定アドレスへ移動され（ステップＡ１）、ＡＴＩＰのデコードが行なわれる（ステップＡ２）。そして、ステップＡ３において、特定アドレスに到達したか否かが判定され、特定アドレスに到達していない場合は、Ｎｏルートが取られ、ステップＡ１からの処理が繰り返される。一方、特定アドレスに到達した場合には、Ｙｅｓルートが取られ、ステップＡ５において、（Ｍ１，Ｓ１，Ｆ１）の判定が行なわれる。
【００９６】
さらに、ステップＡ５において、（Ｍ１，Ｓ１，Ｆ１）によるＡＴＩＰフレームの属性判定が行なわれる。ここで、この属性が、書き込み禁止の場合は、書き込み禁止ルートが取られ、ステップＡ６において、再生専用属性と判定され、ステップＡ７において、エラーメッセージが送出され、ステップＡ８において、他のアドレスに光ヘッドが移動し、ステップＡ１からの処理が繰り返される。
【００９７】
また、ステップＡ５において、書き換え可能の場合は、書き換え可能ルートが取られ、ステップＡ９において、書き換え可能属性と判定され、ステップＡ１０において、書き込みが開始されて、ステップＡ１１において、書き込みルーチンは終了する。
なお、上記の図６のフローチャートにおいては、エラーメッセージを送出するステップＡ７の後に、光ヘッドが他のアドレスに移動するステップＡ９が設けられたが、エラーメッセージを送出したステップＡ７にて終了させることもできる。
【００９８】
このように、ＡＴＩＰ信号に、書き込み禁止属性が記録されているので、記録ドライブ装置は所定アドレスにアクセスする際に、常にＡＴＩＰアドレスをデコードし、記録ドライブ装置は、上記のＭＳＢの組み合わせを検出すると、直ちに、記録用レーザ光のパワーを止める等の処置をし、異常処理のルーティンに移行できる。さらに、記録ドライブ装置は、書き込み禁止属性のＲＯＭ領域にアクセスしたときは、その書き込み時に、エラーメッセージが発せられるので、たとえ、記録ドライブ装置が誤って、その禁止領域のアドレスを指定したとしても、誤記によるＲＯＭデータの破壊が防止される。
【００９９】
プログラム領域におけるＡＴＩＰフレームの属性が上記のように規定したいずれの属性であろうとも、対応するＥＦＭ信号には、従来どおりの絶対時間情報をサブコードで記録することとすれば、ＥＦＭ信号再生系には上記変則的なＭ１ビットの使用方法は反映されない。つまり、プログラム領域のＭ１＝０とし、絶対時間情報のみに従ってＢＣＤデータを生成し、それをＥＦＭ信号のサブコードに含まれる絶対時間情報とする。
【０１００】
こうすれば、通常ＣＤ−ＲＯＭドライブを始めとする再生システム側は、ＥＦＭ信号で記録されたサブコードからしかアドレス情報を取得しないから、再生システムからは、上記の変則的なＡＴＩＰ情報の割り当ての影響はうけない。また、既存のＣＤ−ＲＯＭドライブでの再生に影響を与えない。記録システム側にのみ、ファームウエア（ドライブ制御用の内部プログラム）上の変更が必要であるが、このような変更は、記録装置側のデバイスドライバのバージョンアップとして、プログラムを書き換えるだけで済み、記録用ドライブのハードウエアの変更は必要ないので好ましい。
【０１０１】
このようにして、相変化型媒体を利用したＰ−ＲＯＭディスクにおいて、混載されたＲＯＭ領域とＲＡＭ領域とを、（Ｍ１，Ｓ１，Ｆ１）のビットの値を利用することによって、論理的にシームレスなファイル管理を行なえる。
また、このようにして、同一の再生回路を用いてアクセスできるので、効率的に、データ配布機能とユーザーデータの記録機能とを実現できるようになり、ＣＤ−ＲＷディスクの利用が促進されるのである。
【０１０２】
ＡＴＩＰによって書き込み禁止（再生専用）属性を付加したプレピット列によりマスターＲＯＭ領域が作成でき、確実に書き込み禁止処置がとれる。一方、未記録の書き換え可能領域の一部に、ＡＴＩＰでは書き込み禁止（再生専用）属性を与えておき、工場もしくはソフト作成者においてのみ、該書き込み禁止処理を無視できる特殊記録ドライブ装置によって、データの記録、編集を行なうものとすれば、一般ユーザーの記録ドライブ装置では、ＲＯＭデータとして機能するポストＲＯＭ領域を作成できる。そして、残りの書き換え可能領域にのみ書き換え可能属性を与えて、ユーザー側でＲＡＭ領域として利用可能としておく。
【０１０３】
ＡＴＩＰによる属性付与は基板にあらかじめ形成された、広義の溝蛇行に付与されるので、属性自体の書き換えが不可能であり、最も信頼性の高いＲＯＭデータの改竄防止方法となる。
このようにして、マスターＲＯＭ，ポストＲＯＭ及びＲＡＭの３種のデータ領域を同一のディスク上に混載できる。
【０１０４】
さらに、このようにして、ＡＴＩＰにより、一回（初回）だけ記録可能属性を与えられた書き換え可能領域は、ユーザー側において、擬似的なライトワンス媒体として使用でき、ユーザー側でマスターＲＯＭ領域を作成できる。
（Ａ２）ＥＦＭ変調された信号においてユーザーデータに付加されたサブコード（９８ＥＦＭフレーム毎）を利用する方法
図７は、９８個のフレーム（セクタ）を並べたブロックを示す図である。この図７に示すブロック２３は、ブロックの先頭を示す同期信号（１２バイト）と、アドレス等の書き込み可／不可情報を含むヘッダー（４バイト）とを有する。さらに、記録ドライブ装置は、ユーザーデータにエラー訂正用の付加データ（２８８バイト）を元のデータに加え、そして、これらのデータにスクランブルをかけた後、２４バイト×９８行に分割し、各行毎にエラー訂正用のパリティービット、サブコード等を付加して、ＥＦＭ変調を行なうようになっている。この各行をＥＦＭフレームと称する。
【０１０５】
ＡＴＩＰの最小単位であるフレーム単位（１／７５秒長）には、レッドブックで規定されるオーディオフォーマット（ＣＤ−ＤＡ）では２３５２バイト長のユーザーデータが含まれる。２３５２バイト長からなるユーザーデータは、メインチャネルと称され、一行２４バイト×９８行のマトリックスに分割される。各行が１２バイトごとに分割させたとき、ステレオ音楽データの左右のチャネルに相当するデータとなる。各行にエラー訂正用の付加ビットがさらに添付されたのち、サブコードと呼ばれる８ビットのデータが付加される。つまり、８ビット×９８個の付加データによって、２３５２バイト単位のブロックにアドレスや、データ属性情報が付加される。上記のブロックのヘッダー情報とは下位のレベルのＩＣレベルでデータ処理されるので、ＣＤ−ＲＯＭドライブに限らず、音楽用ＣＤドライブでも認識可能なデータ属性を付与できる。
【０１０６】
サブコードの８ビットを１行として、９８行のマトリックスが形成されるが、各列ごとを一まとまりとした９８ビット（１２バイト）のデータ列をチャネルといい、Ｐ，Ｑ，Ｒ，Ｓ，Ｔ，Ｕ，Ｖ，Ｗチャネルと名づけられている。特に、その一つをＱチャネルといい、アドレス情報は該Ｑチャネルの９８ビットに記載される。
【０１０７】
サブコードには８×９８ビットが含まれるから、未使用のビットも多く、該未使用ビットを使用して新たなデータ属性を付加することができる。以下Ｑチャネルを利用してこの制御用ビットを使用する例を説明する。
図８はＱチャネルのデータ構造を示す図である。この図８に示すＱチャネルのデータ２４は、同期用ビット（Ｓ０，Ｓ１）と、制御用ビット（ＣＯＮＴＲＯＬ）と、その他のデータビットとを有する。また、制御用ビット（ＣＯＮＴＲＯＬ）は、書き込み属性を表すものであって、上位ビットから（ＳＣ３，ＳＣ２，ＳＣ１，ＳＣ０）を有する。
【０１０８】
より具体的には、図８に示すサブコードＱチャネルのＣＯＮＴＲＯＬフィールドの４ビット（ＳＣ３，ＳＣ２，ＳＣ１，ＳＣ０）を以下のように用いる。すなわち、ＣＯＮＴＲＯＬビットの４ビットは特開平１１−２５０５２２号公報に記載された内容によると、レッドブック／イエローブックでは、表１のように指定されている。ここで×は０、１いずれであっても良い。また、項目番号１から６にかかわる規定は、すでに現行規格で利用されている。
【０１０９】
【表１】
0003636987.tif 000002
ここで、項目番号１，２は、それぞれ、オーディオ信号の属性にかかわるものである。さらに、項目番号５及び６からわかるように、データの他の属性にかかわらず、ＳＣ１ビットはデジタルコピーの禁止／許可の指定に割り当てられているので、これを使用することはできない。
【０１１０】
結局、現状では、項目７，８，９，１０にあるようなＳＣ３＝１のときに限って、ＳＣ２乃至はＳＣ０が０もしくは１である場合が、予備（未定義）となっているので、この組み合わせを利用してデータトラックの書き込み禁止（再生専用）属性を定義する。
つまり、この方法ではＳＣ３＝１のときは、ＣＤ−ＲＯＭフォーマットのデータトラックとみなされ、その場合に対してのみ、ＳＣ２及びＳＣ０の組み合わせによって書き込み禁止（再生専用）属性を定義できる。
【０１１１】
そこで、ＳＣ３＝１である場合に、（ＳＣ２，ＳＣ０）の可能な組み合わせ（０，０）、（０，１）、（１，０）、（１，１）を、書き込み禁止（再生専用）、一回（初回）だけ記録可能（記録後はポストＲＯＭ領域として機能）、書き換え可能（繰り返し書き換え可能）の少なくとも３種類の属性を割り当てるようにするのである。また、どの属性をいずれの（ＳＣ２，ＳＣ０）に対応させるかは、自由に選択できる。さらに、（０，０）、（０，１）、（１，０）、（１，１）のうち３種類の属性を割り当てて残りの一つについては、例えば条件付再生、書き込み可の属性を付与することができる。
【０１１２】
サブコードについては、この他のチャネルも含め、すべての未使用なビットアサインが新規なデータ属性の割り当ての対象となりうるが、チャネルＲからＷは、最大６４通りのアプリケーションの規定（ＣＤ−ＧやＣＤ−ＴＥＸＴなど）に利用されているので、好ましくは（Ａ１）で示したＡＴＩＰもしくは、（Ａ３）で示す、ＣＤ−ＲＯＭフォーマットに限定したブロック属性を利用する方法が好ましい。
【０１１３】
図９は、ＥＦＭ変調信号を利用したファイル書き込みのフローチャートである。
まず、光ヘッドが所定アドレスへ移動され（ステップＢ１）、ＡＴＩＰのデコードが行なわれる（ステップＢ２）。そして、ステップＢ３において、特定アドレスに到達したか否かが判定され、特定アドレスに到達していない場合は、Ｎｏルートが取られ、ステップＢ１からの処理が繰り返される。一方、特定アドレスに到達した場合には、Ｙｅｓルートが取られ、ステップＢ４において、ＥＦＭ信号のデコードが行なわれる。
【０１１４】
さらに、ステップＢ５において、デコードされたＱチャネルのデータから属性判定が行なわれる。ここで、この属性が、書き込み禁止の場合は、書き込み禁止ルートが取られ、ステップＢ６において、再生専用属性と判定され、ステップＢ７において、エラーメッセージが送出され、ステップＢ８において、他のアドレスに光ヘッドが移動し、ステップＢ１からの処理が繰り返される。
【０１１５】
また、ステップＢ５において、書き換え可能の場合は、書き換え可能ルートが取られ、ステップＢ９において、書き換え可能属性と判定され、ステップＢ１０において、書き込みが開始されて、ステップＢ１１において、書き込みルーチンは終了する。
なお、上記の図９のフローチャートにおいては、エラーメッセージを送出するステップＢ７の後に、光ヘッドが他のアドレスに移動するステップＢ８が設けられたが、エラーメッセージを送出したステップＢ７にて終了させることもできる。
【０１１６】
このように、後述するブロックのヘッダー情報とは異なり、下位のレベルのＩＣレベルでデータ処理されるので、ＣＤ−ＲＯＭドライブに限らず、音楽用ＣＤドライブでも認識可能なデータ属性を付与できる。
また、このように、記録ドライブ装置側が、ファームウエアに組み込まれるデバイスドライバをバージョンアップして、プログラムを書き換えるだけで対応できるので、記録ドライブ装置のハードウエアの変更が不要となり、既存の装置を利用した状態で、取り扱いが可能となる。なお、再生側においても、従来未定義で、通常、（０，０）データが入っている（ＳＣ２，ＳＣ０）ビットに他のビットが入ることによりエラーを生じる場合には、ファームウェアを書き換えることが必要となる場合がある。
【０１１７】
そして、このように、Ｑチャネルの制御用ビット（ＳＣ２，ＳＣ０）を利用して、論理的にシームレスなファイル管理を行なえて、ＲＯＭ領域とＲＡＭ領域とを、同一の相変化型媒体上に混載できるようになる
また、このようにして、同一の再生回路を用いてアクセスできるので、効率的に、データ配布機能とユーザーデータの記録機能とを実現できるようになり、ＣＤ−ＲＷディスクの利用が促進される。
【０１１８】
なお、書き換え可能領域の一部において、工場またはソフト作成者側で所定のデータの編集記録を行なった後、該データに付随するサブコードを用いて、該データを書き込み禁止（再生専用）と定義すれば、事実上のマスターＲＯＭ領域が作成できる。書き換え可能領域におけるデータの書き込み禁止属性は、ユーザー側では変更不能としておけば、ポストＲＯＭデータの作成者の意図に反して、改竄されることを防止できる。
【０１１９】
もちろん、プレピット列からなるマスターＲＯＭ領域に対しては、プレピット列データを作成する際に、サブコードに書き込み禁止（再生専用）属性を与えておく。そして、残りの書き換え可能領域にのみ書き換え可能属性を与えて、ユーザー側でＲＡＭ領域として利用可能としておく。
このようにして、マスターＲＯＭ，ポストＲＯＭ及びＲＡＭの３種のデータ領域を同一のディスク上に混載できる。
【０１２０】
（Ａ３）ＣＤ−ＲＯＭフォーマットにおける約２ｋＢ長のブロックのヘッダーを利用する方法
本実施態様は、ＣＤ−ＲＯＭフォーマットで規定されるブロック単位で、再生専用、記録禁止等のデータ属性を付与するものである。上述のとおり、ＣＤ−ＲＯＭフォーマットでは、ユーザーデータは、２０４８バイト毎に区切られて、この２０４８バイトのデータに付加データが付加されて、１ブロック（２３５２バイト）相当のデータが形成される。
【０１２１】
すなわち、ブロック２３（図７参照）は、ブロックの先頭を示す同期（ｓｙｎｃ）信号（１２バイト）と、アドレス等の書き込み可／不可情報を含むヘッダー（４バイト）とからなり、さらに、エラー訂正用の付加データ（２８８バイト）が加えられる。同期信号を除くこれらのデータはスクランブルをかけられる。そして、この同期信号とスクランブルデータとからなるデータは、２４バイト×９８行に分割され、各行毎にエラー訂正用のパリティービットと（Ａ２）にて説明したサブコード等が付加されて、ＥＦＭ変調されるのである。
【０１２２】
また、各ブロックはそれぞれヘッダーを有し、これらの各ヘッダーには、各ブロックのアドレス及びデータ属性等を示す付加データが付加されている。このヘッダーデータは、４バイトからなり、このうち３バイトを利用して各ブロックのアドレスが、ＡＴＩＰ（図５参照）と同一の分、秒及びフレーム単位にて２４ビットで記録されている。
【０１２３】
さらに、各ヘッダーには、残りの１バイト（８ビット）を利用して、各ブロックのモードを表す属性データが付加される。オレンジブック・パート３は、後述のパケット記録に利用するために、ブロックの属性を規定しており、特定の３ビットに記録される。また、他の２ビットはイエローブックで規定された特定の情報が付加される。さらに、残りの３ビットは、特に規定のない空きビットである。
【０１２４】
すなわち、これら空きの３ビットに対して、少なくとも、そのブロックが、書き換え可能、書き込み禁止（再生専用）、一回（初回）だけ記録可能の少なくとも３種類の属性が付与されるのである。また、付与に際して、３種類の状態を割り当てればよいので、実質的には２ビットあればよく、３ビットのうちどれを選択するかは自由である。
【０１２５】
例えば、その３ビットを（ｂ２，ｂ１，ｂ０）とするとき、そのうちの（ｂ１，ｂ０）が（０，０）、（０，１）、（１，０）、（１，１）のいずれであるかに応じて、書き換え可能、書き込み禁止（再生専用）、一回（初回）だけ記録可能という３種類の属性のいずれかを割り当てるようにする。この割り当ては、自由に選択できる。加えて、これら３ビットをすべて利用することにより、８種類の属性を付与することができるので、条件付再生可能という属性や、条件付書き換え可能という属性を与えることもできる。
【０１２６】
このようにして、ＣＤ−ＲＯＭフォーマットのユーザーデータに対してブロック単位で書き込み可／不可にかかわる属性を付与できる。
さて、ＣＤ−ＲＷでは、任意のアドレスにおけるデータの書き換えを可能とするため、固定長パケット記録と呼ばれる方法が用いられる。
図１０は、固定長パケット記録におけるパケット構造を示す図である。この図１０に示すパケット２５は、ＣＤ−ＲＷの固定長パケット記録モードにおけるデータ記録単位であって、このパケット２５は、リンク（Ｌｉｎｋ）ブロック２５ａと、ランイン（Ｒｕｎ−ｉｎ）ブロック２５ｂ，…，２５ｃと、ユーザーデータブロック２６ａ，…，２６ｂと、ランアウト（Ｒｕｎ−ｏｕｔ）ブロック２７ａ，２７ｂとから構成されている。ここで、リンクブロック２５ａは上書きデータの位置ずれにより発生する既存の隣接パケットのデータ破壊を防止するための緩衝用の領域である。また、ランインブロック２５ｂ，…，２５ｃ，ランアウトブロック２７ａは、それぞれ、ユーザーデータに付加する付加情報を格納する領域である。なお、パケットとは、セクターあるいはクラスターとも言われるデータの最小のまとまりを意味する。
【０１２７】
ここで、これら複数のブロックが一まとまり（１パケット）として、このパケット毎に上書きが行なわれるようになっている。また、この図１０に示すユーザーデータは、６４ｋバイト（３２ブロック）単位のパケットで記録されるのである。なお、これらのブロックについては、オレンジブック・パート３に記載されているので、その説明を省略する。さらに、固定長パケット記録におけるファイル管理方法は、後述のＵＤＦバージョン１．５で規定されている。
【０１２８】
そして、工場出荷時に、全面フォーマッティングと呼ばれる操作により、ディスクの全面に、図１０に示すパケット構造が記録される。この際、固定長パケット記録に対応できるように、ユーザーデータとしては何を記録してもよいが、実用上は、"０"データが記録されている。また、フォーマッティング済みのディスク（工場にてフォーマットされたディスク）に対しては、図１０に示すユーザーデータブロック２６ａ，…，２６ｂには、意味のないデータが記録されているので、ユーザーがユーザーデータを記録して使用する時は、隣接する２個のパケット内のリンクブロック２５ａをそれぞれ、始点及び終点として、固定長のパケットが重ね書きされる。
【０１２９】
そして、各ブロックが、リンクブロック、ランインブロック、ユーザーデータブロック、ランアウトブロックのいずれかに属するかは、前述のヘッダー中の１バイトのうち、特定の３ビットに記録されている。
なお、該フォーマット済みディスクにおいて、フォーマット時にダミーの"０"データを記録する代わりに、意味のあるデータを記録し、該データのブロックごとの属性を、書き込み禁止（再生専用）として、ポストＲＯＭ領域を作成できる。
【０１３０】
また、該固定長パケット記録フォーマットにしたがって、プレピット列によりデータを記録してマスターＲＯＭ領域を作成する場合にも、該データのブロックごとの属性を書き込み禁止（再生専用）とすることで、マスターＲＯＭ領域への上書きを防止できる。
このようにして、マスターＲＯＭ，ポストＲＯＭ及びＲＡＭの３種のデータ領域を同一のディスク上に混載できる
さらに、フォーマット済みディスクでブロックごとの属性付与により、一回（初回）だけ記録可能属性を与えられた書き換え可能領域は、以後、擬似的なライトワンス媒体として使用でき、従って、ユーザー側でマスターＲＯＭ領域を作成できる。
【０１３１】
このようにＣＤ−ＲＯＭフォーマットのデータの基本単位であるブロックごとにデータに属性を与えておけば、ＣＤ−ＲＷディスク１０の記録ドライブ装置は以下のような動作から、正しく書き込み禁止等の判断ができる。すなわち、ＣＤ−ＲＷディスク１０の記録ドライブ装置では、まず、記録すべきパケットのデータを読み出し、ドライブのメモリー内で、該パケットの所定ブロックのデータを書き換えてパケット内のデータを再編成したのち、実際に記録媒体上のパケットの書き換えを行なう。
【０１３２】
ここで、記録すべきパケットのデータを読み出すときに、ブロックの属性をデコードし、該パケットに書き込み禁止（専用属性）のブロックがあれば、その旨のエラーメッセージを発行するようにしている。
図１１は、ブロック属性を利用したファイル書き込みのフローチャートである。まず、光ヘッドが所定アドレスへ移動され（ステップＣ１）、ＡＴＩＰのデコードが行なわれる（ステップＣ２）。そして、ステップＣ３において、特定アドレスに到達したか否かが判定され、特定アドレスに到達していない場合は、Ｎｏルートが取られ、ステップＣ１からの処理が繰り返される。一方、特定アドレスに到達した場合には、Ｙｅｓルートが取られ、ステップＣ４において、ＥＦＭ信号のデコードが行なわれる。
【０１３３】
さらに、ステップＣ５において、ブロック単位に信号がデコードされ、ステップＣ６において、ブロック属性の判定が行なわれる。
ここで、ブロック属性が、書き込み禁止の場合は、書き込み禁止ルートが取られ、ステップＣ７において、再生専用属性と判定され、ステップＣ８において、エラーメッセージが送出され、ステップＣ９において、他のアドレスに光ヘッドが移動し、ステップＣ１からの処理が繰り返されるのである。
【０１３４】
また、ステップＣ６において、書き換え可能の場合は、書き換え可能ルートが取られ、ステップＣ１０において、書き換え可能属性と判定され、ステップＣ１１において、書き込みが開始されて、ステップＣ１２において、書き込みルーチンは終了する。
なお、上記の図１１のフローチャートにおいては、エラーメッセージを送出するステップＣ８の後に、光ヘッドが他のアドレスに移動するステップＣ９が設けられたが、エラーメッセージを送出したステップＣ８にて終了させることもできる。
【０１３５】
このように、ＣＤフォーマットのデータの基本単位であるブロック毎にデータ属性が付与されて、書き込み禁止等の判断が正しく行なえる。また、記録ドライブ装置は、全面消去する場合を除いて、パケット単位でリンクブロック２５ａを始点及び終点としてデータの上書きを行なえるようになる。
なお、その使用目的を鑑みると、リンクブロック、特にＲＯＭ領域とＲＡＭ領域とのつなぎめのリンクブロックの属性は、書き換え可能とすることが望ましい。
【０１３６】
また、記録ドライブ装置側は、そのハードウエアの変更が不要で、ファームウエアに組み込まれるデバイスドライバを書き換えるだけで、ＲＡＭ領域とＲＯＭ領域との混載した相変化型媒体のＣＤ−ＲＷディスク１０を得られるようになる。
そして、このようにして、同一の再生回路を用いてアクセスできるので、効率的に、データ配布機能とユーザーデータの記録機能とを実現できるようになり、ＣＤ−ＲＷディスクの利用が促進される。
【０１３７】
以上の３種類の実施態様では、アドレス付与の階層ごとに区別して、該アドレスの基本単位ごとのデータに新たな属性を付加する方法が示されており、また、アドレス単位でデ−タ属性を付加する方法自体は、ＣＤフォーマットと互換性を保ちうる方法を利用している。
ここで、二つ以上の階層において、同一のアドレスの基本単位にデータの属性を付与する場合には、上位の階層において付与されるデータは、下位の階層において付与されるデータの属性と同一であるのが好ましい。
【０１３８】
次に、可変長の基本データ単位にデータ属性を付与する例について簡単に述べる。
ＣＤフォーマットにおける可変長のデータ単位の例としては、トラック及びマルチセッションフォーマットにおけるセッションがあげられる。また、ＵＤＦ１．５にて規定されるような固定長パケット記録フォーマットにおいて、複数個の固定長パケットを連続して使用するデータ単位も、可変長データ単位の一例である。
【０１３９】
トラックは、ＣＤ−ＲＯＭフォーマットにおいては、実質上、図１０に示すユーザーデータブロック群２６ａ，…，２６ｂにおいて、ブロック数が一定でない場合に相当する。従って、固定長パケットの場合と同様に、トラックに属するブロックごとに書き込み禁止等のデータの属性を付与することは可能である。
一方、トラックの先頭のランインブロックのヘッダーには、そのトラックそのもののデータ属性を、ヘッダーにおいて付与される。その空きビットを利用して、トラック単位で書き込み禁止（再生専用）、一回（初回）だけ記録可能、あるいは、書き換え可能の属性を付与できる。
【０１４０】
さらに、トラックの開始及び終了アドレス、データ長等は、リードイン領域に、ＴＯＣとしてＥＦＭ信号のサブコードＱチャネルに記載されるが、その際に、各トラックの属性をも記載することが望ましい。また、必要であれば、サブコードＱチャネルが付与されるユーザーデータ（メインチャネル）に、その各トラックの属性を記入すれば良い。通常は、リードイン領域のＥＦＭ信号のメインチャネル（図７に示すブロック構造におけるユーザーデータ部分）は、通常は”ゼロ”であるダミーデータが記載されているだけなので、そのメインチャネルに、付加データを記載しても支障はなく、記録ドライブ装置が、リードイン領域においても、サブコードのみならず、メインチャネルを読み取るようにすれば良い。
【０１４１】
特に、トラックのアドレス情報（開始・終了アドレス．データ長等）は、プレピット列からなるマスターＲＯＭデータにより表された再生専用領域属性を有するものなので、やはり、プレピット列からなるマスターＲＯＭデータとして、リードイン領域の一部のアドレスのメインチャネルに記載（登録）しておくことも可能である。
【０１４２】
あるいは、固定長パケット記録フォーマットにおいて、一連の複数のパケットからなる可変長データが、プレピット列からなるマスターＲＯＭデータである場合に、一連のパケットのアドレス情報をリードイン領域のメインチャネルにマスターＲＯＭデータとして記載（登録）する。
具体的には、開始アドレスとして、先頭パケットの最初のランインブロックのアドレス又は先頭パケットの最初のユーザーデータブロックのアドレスが用いられている。そして、終了アドレスとしては、後端のランアウトブロックのアドレス又は後端のユーザデータブロックのアドレスが用いられる。また、固定長パケット記録フォーマットにおいては、ランイン，ランアウト，リンクブロックの各アドレスが飛ばされて（各アドレスが使用されずに）、新たに、ユーザーデータブロックだけが、順番にアドレスを割り振られるようにする。
【０１４３】
加えて、上位の論理アドレスを用いることもできる。この論理アドレスに注目して、先頭のユーザーデータブロックの論理アドレスが、そのＲＯＭ領域の開始アドレスとして用いられ、また、最後端のブロックの論理アドレスが、そのＲＯＭ領域の終了アドレスとして用いられるようにもできる。
さらに、マルチセッションフォーマットの規定に従って、プログラム領域を複数のセッションに分割し、分割された一部のセッションを再生専用とし、分割された他のセッションを書き換え可能とする方法について述べる。具体的には、マルチセッションディスクで、特定のセッションを書き込み禁止（再生専用）とするＰ−ＲＯＭとする場合には、各セッションのリードインに、該セッションが書き込み禁止（再生専用）であるか、書き換え可能であるかの属性を記載することが好ましい。この目的にも、やはりサブコードのＱチャネルが利用できる。
【０１４４】
すなわち、マルチセッションフォーマットにおいては、図４（ａ）に示したリードイン領域／プログラム領域／リードアウト領域からなる一枚のＣＤを分割して、同一ＣＤ上に、擬似的に複数のＣＤを構成するものである。
図１３は、３つのセッションに区切られたマルチセッションフォーマットがなされたＣＤの領域構成例の説明図である。各セッションごとに、その先頭のリードイン領域が終端にリードアウト領域が付加される。この図１３の右方にある斜めの直線上に示す第１セッションのリードイン領域Ｌ1Ａは、図４（ａ）におけるリードイン領域と一致する。ＡＬ2は第１セッションのプログラム領域、Ｌ2Ａ2は第１セッションのリードアウト領域である。Ａ2Ｌ3、Ｌ3Ｌ4及びＬ4Ａ3は、それぞれ、第２セッションのリードアウト領域、プログラム領域、リードアウト領域であり、Ａ3Ｌ5、Ｌ5Ｃ及びＣＤは、それぞれ、第３セッションのリードイン領域、プログラム領域、リードアウト領域である。ＰＣＡ領域及びＰＭＡ領域は、図４（ａ）と同じく、ディスク全体の最内周部ＢＬ1に設けられている。
【０１４５】
また、それぞれの、リードイン領域でのデータ構造は、プログラム領域と同じであって、サブコードも同様に付加される。リードイン領域では、ユーザーデータはダミーデータであり、サブコード情報のみがシステムの制御目的で利用される。また、固定パケット記録の場合は、プログラム領域のみならず、リードイン領域及びリードアウト領域もすべて図１０に示すパケット構造でフォーマットされる。
【０１４６】
サブコードＱチャネルの構造は、図８に示す構造と全く同等であるが、下位の９２ビットにも各セッションのファイル管理情報やセッションの属性情報等が記載される。
以下に、サブコードＱチャネルを利用した属性の付与方法であって、セッションごとの再生専用、初回だけ書き換え可能、任意に書き換え可能等の属性付与方法▲１▼，▲２▼を述べるが、この方法は、一つのセッション内に含まれるデータでは、定義された属性はすべて同一であることが必要である。
【０１４７】
▲１▼方法ＭＳ１について
リードイン領域のサブコードＱチャネルには図８に示すものと同様のＣＯＮＴＲＯＬビット４ビットが存在する。上記の（Ａ２）で述べた方法はそのまま適用できる。すなわち、同一セッション内ではＣＯＮＴＲＯＬで定義されるデータの属性は原則として一定でなければならないと規定されているので、（Ａ２）の方法と同様に、ＳＣ３＝１であるデータトラックに対しては、（ＳＣ２，ＳＣ１）の組み合わせに応じて書き換え可能、又は、書き込み禁止（再生専用）属性を定義する。
【０１４８】
▲２▼方法ＭＳ２について
図８の下位９２ビットの指定には、複数の未使用のビットアサインがあり、いずれかを利用して新たにセッションの属性を付与できる。例としては、ＰＯＩＮＴと呼ばれる２バイトのデータがＡ０（ＢＣＤ）の場合には、ＰＳＥＣと呼ばれる１バイトにセッションのフォーマット属性が記載されるので、ここの予備のビットアサインを利用する。現行オレンジブックで規定されているセッションのフォーマット属性とは、ＣＤのデータの応用に関するもので、次のもののみである。
【０１４９】
００（１６進）  ：  ＣＤ−ＤＡ  もしくは  ＣＤ−ＲＯＭ（イエローブック）
１０：（１６進）：  ＣＤ−ｉ
２０：（１６進）：  ＣＤ−ＲＯＭ−ＸＡ
各フォーマットの詳細な説明は省略するが、本発明では例えば１６進２桁のデータの下位データを用いて、次のように定義することが可能である。ここで、×は１６進の上位桁を表す。
【０１５０】
×０：  書き換え可能セッション
×１：  書き込み禁止（再生専用）セッション
×２：  一回（初回）だけ記録可能セッション
このようにして、セッションごとに書き換え可能、書き込み禁止（再生専用）、１回（初回）だけ記録可能の属性を定義できる。セッションは前述のように分割された擬似的なＣＤとみなせるので、一枚のＣＤのうえにデータ属性の異なる複数の仮想的ＣＤを実現できることになる。
【０１５１】
なお、セッション毎に、書き込み可／不可の属性を付与する場合には、必ずしも（Ａ１），（Ａ２），（Ａ３）で説明したような、より小さなデータの単位での属性付与を行なわなくてもよいが、併せ用いた方がより信頼性が高まる。
以下に、ＲＯＭ／ＲＡＭ混載のＰ−ＲＯＭディスクの論理フォーマットについて述べる。
【０１５２】
まず、ＣＤ−ＲＷディスクは、部分的にしろＲＡＭ領域を有し、ユーザーデータ領域の内容が書き換え可能であるので、リードイン領域は書き換え可能であることが望ましい。ＰＭＡ領域も一時的にリードインと同じく、ファイル管理情報を保管するのであるから、ＲＡＭデータであることが望ましい。さらに、試し書き領域ＰＣＡもその性質上ＲＡＭ領域になければならない。
【０１５３】
ＣＤ−ＲＷがＰ−ＲＯＭであることを示す情報が、ドライブが最初にアクセスしてディスクに関する情報を取得する、リードイン領域に含まれていることが望ましい。本発明では、ファイル管理情報がＲＡＭデータで記載されている場合、後述の簡易消去操作で、ＲＯＭ領域のファイル管理情報まで消去され、ＲＯＭ領域の存在自体が認識されなくなることを防ぐためである。通常、リードイン領域は図４（ａ）のＡＢで示すような、プログラム領域ＡＣより内周側に存在する。マルチセッション・フォーマットのディスクではプログラム領域ＡＣ内にもリードインが存在しうるが、第１セッションのリードインはやはりプログラム領域ＡＣより内周側に存在し、ディスク全体にかかわる情報は、この第１セッションのリードインに記載される。以下の説明では、シングルセッションの場合を含めて、特に断りのない限り、第１セッションのリードイン領域を単にリードイン領域と呼ぶことにする。
【０１５４】
未記録のＣＤ−ＲＷディスクでは、リードイン領域に図５で示したデータ構造を有するＡＴＩＰにより、ディスクの属性や記録条件等を含む特別情報（Ｓｐｅｃｉａｌ  Ｉｎｆｏｒｍａｔｉｏｎ）が記載されており、まず、ここにＣＤ−ＲＷディスクがＰ−ＲＯＭであることを示す情報を記載するのが好ましい。現行のオレンジブック・パート３からは複数の可能性が考えられるが、一つの具体的な方法は、ＡＴＩＰにおいてＳｐｅｃｉａｌ  ｉｎｆｏｒｍａｔｉｏｎ（特別情報）１と呼ばれるデータのディスク・サブタイプ情報において規定することである。Ｓｐｅｃｉａｌ ｉｎｆｏｒｍａｔｉｏｎ（特別情報）１は図５において、リードイン領域で（Ｍ１，Ｓ１，Ｆ１）＝（１，０，１）が現れたとき、残りのビットに記載される情報である。
【０１５５】
このうち、ディスクのサブタイプは、フレーム情報を記載する１バイト（図５のバイト２２ｃ）のうち、ＢＣＤで上位の桁を表す４ビットの中でＦ１を除いた残りの３ビット（図５のＸＸＸで示すもの）で規定する。８通りの規定が可能であるが、現時点では未定であり、今後Ｐ−ＲＯＭディスクというＣＤ−ＲＷディスクのサブタイプを割り当てることも可能である。
【０１５６】
さて、記録済みのＣＤ−ＲＷでは、通常、リードイン領域に、このような特別情報及び閉じられたセッションのファイル管理情報がＥＦＭデータによっても記録される。従って、上記Ｐ−ＲＯＭである旨の情報も上記リードイン領域のＥＦＭデータに記録されるのが好ましい。具体的には、サブコードのＱチャネルに記載される。サブコードＱチャネルは、リードイン領域においても図８のデータ構造を有するが、リードイン領域では、記載されるデータの内容が若干異なる。特に、上記ＡＴＩＰのＳｐｅｃｉａｌ  Ｉｎｆｏｒｍａｔｉｏｎ（特別情報）１を利用した場合は、必ず、図８に示すサブコードＱチャネルの残りの９２ビットのうち、特定のビットにその内容が記録されることになっている。このような、リードイン領域のＡＴＩＰの特別情報をＥＦＭ信号のサブコードに複写するような記録自体はすでに、市販のＣＤ−ＲＷ記録再生ドライブ装置で行なわれている。
【０１５７】
そして、Ｐ−ＲＯＭタイプのＣＤ−ＲＷディスクを用いた場合は、記録ドライブ装置がＰ−ＲＯＭであることを認識してＲＯＭデータのファイル管理情報を破壊しないようにするため、プレピットによるマスターＲＯＭ領域が存在する場合には、ＡＴＩＰの特別情報によってディスクに記載しておくようにするのが好ましい。
【０１５８】
一方、ＲＡＭ領域のデータに前述のように、ＡＴＩＰ、ＥＦＭサブコード、ブロック属性により一回だけ記録可能属性を与えて、記録後再生専用とする場合や、複数回の書き換え後、書き込み禁止して再生専用属性を与えてポストＲＯＭ領域を作成してＰ−ＲＯＭとした場合には、ＥＦＭデータのみによって、リードイン領域にＰ−ＲＯＭである旨の情報を記載するのが好ましい。具体的には、上記サブコードのＱチャネルのディスクのサブタイプ情報をＰ−ＲＯＭという属性として記録すればよい。
【０１５９】
プログラム領域では、サブコードを本発明目的のデータ属性の規定に利用することは、ドライブの設計上一定の制限が存在するが、最内周のリードイン領域において、ディスクがＰ−ＲＯＭであることのサブタイプの規定や、マルチセッションフォーマットにおける各セッションのリードイン領域において、マルチセッションの各セッションごとの属性の規定に用いることはむしろ好ましいことであり、積極的に用いることができる。
【０１６０】
図１４はマルチセッションの場合におけるセッションごとの属性判定のフローチャートであり、かかる、Ｐ−ＲＯＭであるという属性情報をリードインに記載し、マルチセッションである場合に、セッションごとの書き込み属性を規定したディスクを使用して、セッションごとのファイル管理を行なう際のフローチャートの一例を説明したものである。
【０１６１】
ステップＭ０から処理が開始され、まず、ステップＭ１においてディスクは記録再生装置に装填され、所定の回転数に達した後、記録再生用光ヘッドのフォーカス及びトラッキングサーボが達成され、ディスクの再生が可能な状態となる。通常はこの段階で、反射率等の情報に基づき、該ディスクがＣＤ，ＣＤ−ＲＯＭ，ＣＤ−Ｒのいずれでもなく、ＣＤ−ＲＷディスクであることが認識される。そして、ステップＭ２において、光学ヘッドはリードイン領域にアクセスする。さらに、ステップＭ３において、リードイン領域にＡＴＩＰ情報もしくはＥＦＭ信号のサブコードで記録された特別情報が解読され、ディスクタイプや、推奨記録条件等のディスク管理情報の取得を開始する。
【０１６２】
次に、ステップＭ４において、ディスクタイプ情報が取得される。そして、特別情報の一部、より具体的には、例えば上記（図５を用いた説明参照）の特別情報１から該ディスクがＰ−ＲＯＭタイプで、再生専用領域を有することが認識される。こうして、ステップＭ５において、該ディスクがマルチセッションであるかどうかの判定が行なわれる。
【０１６３】
ここで、取得された情報が、Ｐ−ＲＯＭかつマルチセッションであれば、Ｙｅｓルートを通り、ステップＭ６において、各セッションのリードインが順次アクセスされ、ステップＭ７において、リードインに記載されたセッションごとのデータ属性情報が取得され、ステップＭ８において、各セッションのプログラム領域の開始及び終了アドレス（リードアウトの開始アドレス）、セッションのサイズ、また、セッションが再生専用や記録済みであれば、ファイル管理情報が取得される。通常は内周側に配置されたセッションから順に、該情報の取得が行なわれ、ステップＭ９において、最終セッションであることが確認されるまで、Ｎｏルートを通り、ステップＭ６からステップＭ８の処理が繰り返される。
【０１６４】
また、シングルセッションである場合には、ステップＭ５にてＮｏルートを通り、ステップＭ１０にて、プログラムエリアのファイル管理情報が取得される。なお、本フローチャートではディスクタイプやマルチセッションの各セッションごとの属性情報が取得された後、記録再生装置内の一時記憶メモリに格納するステップを明示していないが、この他のディスク管理情報やセッションごとの属性情報等も同様に、その都度、一時記憶メモリに格納され、以後の記録再生装置の動作において、毎回、ディスクから情報の再読み出しをしなくても済むようにされているのが普通である。また、該管理情報の一部、特に、ディスクタイプや、セッションごとの属性、サイズ、アドレス等の情報は、記録再生装置内の一時記憶メモリばかりでなく、記録再生装置に接続されたホストコンピュータにも転送されて該ホストコンピュータ内のメモリにも格納される。ホストコンピュータ側にインストールされた、記録再生装置を利用するアプリケーションプログラムでの利用に供される。
【０１６５】
さらに、最低限セッションごとの属性及び開始／終了アドレス情報を各セッションのリードイン領域から取得すれば、後述の簡易消去において支障はない。各セッションごとのプログラム領域のファイル管理情報は取得される必要はなく、後で、具体的なデータを記録再生する際に、初めて具体的なファイル管理情報を読み出しても良い。
【０１６６】
続いて、ステップＭ９からＹｅｓルートを通り、ステップＭ１１において、光ヘッドはＰＣＡ領域にアクセスし、ステップＭ１２では、ステップＭ３にて取得されたディスク管理情報を基に、試し書きを行なって最適記録パワーが決定され、ステップＭ１３において、具体的な記録再生の指令があるまで待機状態に入る。
【０１６７】
なお、ステップＭ１１及びステップＭ１２は、それぞれ、ステップＭ３の直後に引き続いて行なわれても良いし、具体的に書き込み開始の指示があり、待機状態ステップＭ１３を抜け出して記録に移行する直前に行なっても良い。
さて、ＣＤ−ＲＷでは、簡易消去操作と呼ばれるＲＡＭデータの消去方法がある。これは、リードイン領域やＰＭＡ領域にあるＲＡＭデータであるファイル管理情報を消去したり、意味のないデータ（ゼロの繰り返し）に書き換えることにより、見かけ上再生ドライブ装置から、ファイルの存在を見えなくする消去方法である。毎回、ファイルの中身を消去しなくても、所定のファイルの存在を消去できる。該操作はファイルごと、セッションごとに行なわれる場合もあるが、ディスクにおいて最内周のリードイン領域の情報を消去もしくは書き換えてしまえば、見かけ上、該ディスクは、全く未記録の新品のディスクとして利用できる利便性がある。
【０１６８】
一方で、本発明のごとく部分的に再生専用領域を有し、再生専用領域のファイルのファイル管理情報までもが書き換え可能データとして記録されている場合、上記簡易消去操作で、誤ってＲＯＭデータファイルの存在自体を消去してしまい、２度とアクセスできなくなる可能性がある。特にマスターＲＯＭでファイルの中身は存在するにもかかわらず、ファイルにアクセスできなくなる可能性があり、マスターＲＯＭ領域を設けた意義すらなくなってしまう。あるいは、マスターＲＯＭ領域をＲＯＭ領域と認識せずにデータを上書きしてしまう可能性がある。
【０１６９】
従って、本発明においては、ＲＯＭデータを直接上書きで消去することのないように、書き込み禁止のデータ属性を付与するとともに、かかる簡易消去操作での誤動作による、ＲＯＭデータの消去防止方策をも施すのが好ましい。
その具体的方法は、図１５に示すフローチャートのようになる。図１５はＰ−ＲＯＭにおける簡易消去方法の一例を示すフローチャートである。まず、ステップＮ０において簡易消去命令が発行されると、ステップＮ１において、先頭のセッション領域のリードイン領域に記録された特別情報が解読され、ステップＮ２においてコンパクトディスクが再生専用領域を有する書き換え型であることが識別，判定される（識別ステップ）。
【０１７０】
すなわち、最初にアクセスされる先頭のセッションにおけるリードイン領域の情報から、そのディスクが再生専用領域を有する書き換え型コンパクトディスクであることが認識される。
さらに詳述すると、予め基板上にプレピット若しくは溝変形として記載され、記録媒体が部分的にプレピット列若しくは溝変形からなる再生専用領域を含む書き換え型であることを示す識別情報が認識される（認識ステップ）。
【０１７１】
そして、ステップＮ３において、複数のセッションにおけるリードイン領域のそれぞれから属性情報が抽出，取得され（抽出ステップ）、ステップＮ４において、該属性情報から書き換え可能、あるいは書き込み（書込み）禁止に関する属性が判定される。
さらに、ステップＮ４にて判定された属性が書き込み禁止（再生専用）である場合には、Ｙｅｓルートを通り、ステップＮ５において、その書き込み禁止セッションのファイル管理情報（ファイル構造）が抽出，取得され、一時記憶メモリに転送される（メモリ転送ステップ）。該ファイル管理情報とは、該ＲＯＭセッションの開始及び終了アドレス、該セッション内のプログラム領域に記載されたファイルのアドレス等の情報をすべて含む。そして、該ステップを最終セッションまで繰り返され、再生専用セッションが複数ある場合は、各セッションごとに、ステップＮ５でファイル管理情報が取得されて一時記憶メモリに格納される。なお、ステップＮ４にて判定された属性が書き込み禁止（再生専用）でなければ、Ｎｏルートを通って、ステップＮ６に進む。
【０１７２】
ステップＮ６において、最終セッションまで属性の確認が終了したことが確認されれば、Ｙｅｓルートを通り、ステップＮ７において先頭の（最初の）セッションにおけるリードイン領域及びＰＭＡ領域にアクセスし、該領域に記録されたファイル管理情報がすべて消去される（消去ステップ）。これにより、見かけ上、プログラム領域に再生専用であれ、書き換え可能であれ一切のファイルが存在せず全プログラム領域が未記録であると認識される状態となる。なお、最終セッションではない場合は、ステップＮ６のＮｏルートを通って、ステップＮ３からの処理が繰り返される。
【０１７３】
また、ステップＮ８において、先頭の（最初の）セッションにおけるリードイン領域及びＰＭＡ領域に、前記一時記憶装置に転送された書き込み禁止セッションのファイル管理情報（開始／終了アドレス等）が再登録され、ステップＮ１０において書き換え可能な領域の先頭のアドレス及び記録可能な容量とが更新されて（再記録ステップ）、処理が終了する（ステップＮ１１）。
【０１７４】
なお、該ディスクが書き換え可能領域のみからなる通常のＣＤ−ＲＷの場合には、ステップＮ２からＮｏルートを通り、ステップＮ９において、ステップＮ７と同様に、リードイン及びＰＭＡ領域におけるすべてのファイル管理情報が消去され、ステップＮ１０において、全記録可能領域が新規に書き換え可能として再登録される。
【０１７５】
ここで、ステップＮ１からステップＮ６までのステップは、図１４に示すように、記録再生装置にディスクが装填された最初の段階（ステップＭ１参照）において実行されて、あらかじめ必要な情報を取得して一時記録メモリに格納しておき、また、簡易消去の際には、ステップＮ０で簡易消去命令が出されたときに、ステップＮ１、Ｎ３及びＮ５で取得されるべき情報を、該一時記憶メモリから取得しても良い。
【０１７６】
従って、本発明の書き換え可能型相変化記録媒体のデータ消去方法は、基板上に相変化型記録層を設けてなり、情報記録領域に再生専用領域と書き換え可能領域とを有する記録媒体におけるものである。
予め基板上にプレピット若しくは溝変形として記載され、記録媒体が部分的にプレピット列若しくは溝変形からなる再生専用領域を含む書き換え型であることを示す識別情報を認識する認識ステップと、再生専用領域のアドレス情報を取得してそのアドレス情報を記憶装置に転送するメモリ転送ステップと、記録媒体のファイル管理領域に記載されたファイル管理情報を消去する消去ステップと、そして、ファイル管理領域に、記憶装置に転送された再生専用領域のアドレス情報を記録する再記録ステップとをそなえて構成されたことになる。
【０１７７】
ついで、ＲＯＭとＲＡＭ領域とのそれぞれのデータフォーマットについて説明する。
まず、プログラム領域に記録されるべきデータ構造は、大別すると、ＩＳＯ９６６０フォーマットおよびＵＤＦ（ユニバーサル・ディスク・フォーマット）バージョン１．５で規定された固定長パケット記録フォーマットの２種類に分けられる。
【０１７８】
ＩＳＯ９６６０フォーマットは本来再生専用のＣＤ−ＲＯＭ（イエローブック）の、ファイル管理情報に関する手続きを定めたものであり、書き換え型のファイル管理にはそれほど適していない。つまり、特定のファイルがディスク上の固定され、かつ一続きの連続したアドレスに存在することが前提であり、ハードディスクのようなランダムアクセス可能で、パケット（セクターあるいはクラスターとも言われるデータの最小のまとまり）ごとに記録されるデータ構造には不向きである。しかし、広く普及したフォーマットでありＣＤ−ＲＯＭドライブから再生できる。
【０１７９】
一方、ＵＤＦバージョン１．５及びマルチリードフォーマット（以下では単にＵＤＦフォーマットと呼ぶ）は、ＩＳＯ１３３４０と呼ばれるファイル構造に関する国際規格のサブセットとして米国の業界団体ＯＳＴＡ（Ｏｐｔｉｃａｌ Ｓｔｏｒａｇｅ  Ｔｅｃｈｎｏｌｏｇｙ  Ａｓｓｏｃｉａｔｉｏｎ）によって定められたものであり、また、固定長パケット記録の構造としては、通常は、図１０に示すパケット構造が用いられている。
【０１８０】
このフォーマットは、特にランダムアクセス可能なＣＤ−ＲＷ及び同等の仮想的論理デバイスとしてのディスク上におけるファイル管理情報のあり方を定め、ホストコンピュータからのファイル管理を容易ならしめ、かつ、互換性を確保するために規定されたものである。
以下では、既存ドライブのハードウェアおよびファームウエア、ホストコンピュータのＣＤ−ＲＯＭ，ＣＤ−Ｒ／ＲＷ用ドライブのデバイスドライバ、および上記ＵＤＦのバージョン１．５のファイルフォーマットと親和性のよい、パーシャルＲＯＭの論理構造を詳細に説明する。
【０１８１】
すなわち、プログラム領域をマルチセッションフォーマットの規定に従って２つのセッションに分割し、第１セッションをＲＯＭ領域、第２セッションをＲＡＭ領域とするか、もしくは、第１セッションをＲＡＭ、第２セッションをＲＯＭ領域とした論理的な構造を有する媒体である。
このように、マルチセッションフォーマットで複数のセッションからなるディスクにおいて、特定のセッションを再生専用とするＰ−ＲＯＭの場合、原則的には、各セッション内のファイル管理方式はすべて同一であることが望ましい。すなわち、現行のオレンジブックでは、各セッション内でファイル管理方法がＩＳＯ９６６０フォーマットや、ＵＤＦフォーマットで統一されていれば、セッション間で異なってもよいことになっている。異なるセッションは、仮想的に別個のディスクとみなすことができるからである。しかし、Ｐ−ＲＯＭ媒体では、後述のようにＲＯＭであるセッションからアプリケーションプログラムのデータを再生し、該プログラムに基づいて所定の処理を実行して、その結果を直ちにＲＡＭであるセッションに記録するようなインタラクティブな用途が想定され、ＲＯＭであるセッションとＲＡＭであるセッションとの間で頻繁にデータの再生／記録のためのアクセスが行なわれうる。一般的には、各セッション間の切り換えごとに、ファイル管理方法を切り換えしないで済む方法を用いるほうが、デバイスドライバが簡便になるので好ましい。
【０１８２】
そして、書き換え可能領域においては、ＵＤＦの固定長パケット記録であることが望ましいから、全セッションにおいてＵＤＦフォーマットでファイル管理することが望ましい。
しかし、セッション間で異なるファイル管理方法を用いるのが、むしろ有利であると考えられる場合もある。その一つの方法は、ＵＤＦでのファイル管理を可能とするデバイスドライバ・プログラムをＩＳＯ９６６０フォーマットで第１セッションにＲＯＭデータとして記載し、ディスクを記録再生装置に装填したときに、該デバイスドライバを読み出してＵＤＦフォーマットのデータの読み書きを可能とするものであって、このような使用方法には適している。
【０１８３】
より具体的には第１セッションがＲＯＭ領域、第２セッションがＲＡＭ領域をなすようにし、図１２（ａ）の構造を有し、ＲＯＭ領域をＩＳＯ９６６０フォーマットとし、ＲＡＭ領域をＵＤＦフォーマットに従った、固定長パケット記録領域として用いる。
図１２（ａ）のように、最初のセッションをＩＳＯ９６６０としたほうが、よりＩＳＯ９６６０フォーマットのファイル管理方法を踏襲しやすい。なぜなら、ＩＳＯ９６６０では、まず、プログラム領域の最初の方にある論理アドレス１６の情報が取得されるからである。なお、通常、論理アドレスの一番地は、ＣＤ−ＲＯＭフォーマットの１ブロック長に対応している。
【０１８４】
図１２（ａ）に示す配置は、第１セッションがＲＯＭ領域であり、第２セッションがＲＡＭ領域となっており、第１セッションはＩＳＯ９６６０フォーマットによって書き込まれ、第２セッションはＵＤＦフォーマット（バージョン１．５）によって書き込まれている。そして、マルチセッション方式を用いた書き込み方式の規定に従い、各セッション毎にリードイン領域とリードアウト領域とが設けられている。また、ＰＭＡにＲＡＭ領域である第２セッション以降の未記録領域の開始アドレスが記録されるようにしておく。
【０１８５】
このような処置をされた第１セッションは閉ざされたセッションと認識され、マルチセッションの規定により、再書き込みはできない再生専用領域と認識される。したがって、第１セッションのデータに前述のＡＴＩＰフレーム、サブコード又はブロック単位でのＲＯＭデータ属性を付与するとともに、第１セッションを閉じておけば、システム上２重に再書き込み禁止処置がなされたことになり、ＲＯＭデータ破壊防止の信頼性が高まる。
【０１８６】
このような処理をすることにより、下記のようなデータ記録方法が可能となる。即ち、通常、再生専用領域のデータ属性情報にアクセスした後、再生専用領域に実行可能形式で記録されたプログラムデータを外部のコンピュータに転送する転送ステップと、該外部のコンピュータにて自動的に該プログラムデータを実行して、書き換え可能領域にデータを記録する実行ステップとが行なわれる。
【０１８７】
図１６はＲＯＭデータの自動実行操作の一例を示すフローチャートであり、オペレーティングシステムがＷｉｎｄｏｗｓ（マイクロソフト社製商品名）であるホストコンピュータに記録再生装置が接続されている場合の、かかる自動実行操作の説明のためのフローチャートである。
まず、図１４のステップＭ１２までのフローが実行された後の待機状態ステップＭ１３を、図１６のステップＰ０とし、ステップＰ１にて再生専用領域である第１セッションのファイル管理情報がＩＳＯ９６６０の手順に従って取得される。Ｗｉｎｄｏｗｓでは、ステップＰ２においてルートディレクトリが検索され、ａｕｔｏｒｕｎ．ｉｎｆという名前のファイルがあれば、Ｙｅｓルートを通り、ステップＰ３において該ファイルがホストコンピュータに転送され、ステップＰ４において該ファイルにて規定された内容のプログラムが自動的に起動して実行する（実行ステップ）。ここでａｕｔｏｒｕｎ．ｉｎｆが他の実行形式プログラムファイルを指し示して、流用している場合は、順次指示されたファイルをホストコンピュータに転送し、実行する。ステップＰ５において一連のプログラムの実行が終了し、ステップＰ０に戻る。もし、ルートディレクトリに、ａｕｔｏｒｕｎ．ｉｎｆという名前のファイルが存在しなければ、図１４のステップＭ１３に戻って待機状態となる。なお、ステップＰ２にてａｕｔｏｒｕｎ．ｉｎｆという名前のファイルがなければ、Ｎｏルートを通り、ステップＰ０からの処理が繰り返される。
【０１８８】
現在、もっとも広く普及し、コンピュータにほぼ１００％内蔵されて出荷される光ディスクシステムであるＣＤ−ＲＯＭとの互換性を維持する上で、ＩＳＯ９６６０フォーマットは重要である。特に、ＲＯＭ領域のデータが自動的にホストコンピュータに読み込まれ、実行されるようなブータブル・プログラムである場合は既存フォーマットとの完全な互換性が求められる。さらに、必ずしも普及の進んでいないＵＤＦフォーマットを扱うデバイスドライバ（及びそれをインストールするプログラム）を、通常のＣＤ−ＲＯＭデバイスドライバからアクセス可能なＩＳＯ９６６０フォーマットでＲＯＭデータとして記録しておき、該プログラムをホストコンピュータ上に読み込んで、ＵＤＦデバイスドライバをインストールするような使用方法も想定される。
【０１８９】
図１２（ｂ）に示す配置は、第１セッションがＵＤＦフォーマットのＲＡＭ領域，第２セッションがＩＳＯ９６６０フォーマットのＲＯＭ領域である。この図１２（ｂ）においては、第２セッションのデータに条件付再生可能属性を与える使用方法が特に有用である。すなわち、記録ドライブ装置は、第１セッションのＲＡＭ領域にのみユーザーデータを書き込む一方、ユーザーは、第２セッションにアクセスできないようにされており、そして、特定の暗号情報等をユーザーが入力することにより第２セッションのＲＯＭ情報を読み出すように使用するのである。従って、所望のユーザーのみが、書き換えできる領域が、設けられるので、取り扱いが容易となる。
【０１９０】
いずれの場合も、ＩＳＯ９６６０フォーマットのセッションの場合には、リードイン／リードアウト及びプログラム領域のすべてのブロックはユーザーデータブロックである。また、ＵＤＦフォーマットのセッションの場合には、リードイン／リードアウト及びプログラム領域に、図１０に示すような、リンクブロック、ランインブロック、ユーザーデータブロック、ランアウトブロックが形成される。
【０１９１】
また、図１２（ａ）、（ｂ）のようにして、プログラム領域がマルチセッションフォーマットの規定に従って、２つのセッションに分割され、ＲＡＭ領域となるセッションをひとまとめにして、ＵＤＦフォーマットに従った、固定長パケット記録領域として用いることができ、利便性が向上する。
一方、ＩＳＯ９６６０とＵＤＦとのそれぞれに対応したデバイスドライバを切り換える必要がない方が好ましい場合もある。ＵＤＦ対応のデバイスドライバの普及が進めば、ＣＤ−ＲＷでは、全プログラム領域をＵＤＦフォーマットで管理できることが望ましい。その場合には図１２（ｃ）又は（ｄ）のレイアウトが適している。図１２（ｃ）のレイアウトは、シングルセッションで、ＵＤＦの固定長パケット記録を行なうようにフォーマットされており、ＲＯＭ領域とＲＡＭ領域とは、図１０に示すようなリンクブロックを介して切り換わっている。また、図１２（ｄ）のレイアウトは、２セッションからなるマルチセッションフォーマットで、一方をＲＯＭ領域とし、他方をＲＡＭ領域とし、共に、ＵＤＦの固定長パケット記録を行なうよう、図１０のようにフォーマットされている。
【０１９２】
図１２（ｃ）及び図１２（ｄ）のレイアウトの場合、ＲＯＭ領域は、一連の連続的なアドレス上にまとまって配置されることが望ましい。具体的には、ＲＯＭ領域は、例えば、ＵＤＦで規定されるＡＶＤＰ（Ａｎｃｈｏｒ Ｖｏｌｕｍｅ Ｄｅｓｃｒｉｐｔｏｒ  Ｐｏｉｎｔｅｒ、論理アドレスの２５７番地目に置かれる。）を基準として記載される一群のファイル管理情報データをＲＡＭデータで記載した後に、まとめて配置することが望ましい。
【０１９３】
これにより、他のＲＡＭデータの書き換えや、交代セクタ処理によって、ＲＡＭデータのサイズが増加したときに、ＲＡＭデータのアドレスが分断されないようになり、システム上、アクセス時間を節減しファイル管理情報を簡便化する上で望ましい。
図１２（ａ）〜（ｄ）のいずれの場合においても部分的にしろＲＡＭ型領域を有し、ユーザーデータ領域の内容が書き換わるならば、リードイン領域は書き換え可能であることが望ましい。ＰＭＡ領域も一時的にリードインと同じく、ファイル管理情報を保管するのであるから、ＲＡＭデータであることが望ましい。
【０１９４】
しかし、リードアウト領域、特に図１２（ａ）における第１セッションのＲＯＭデータがプレピット列からなる場合は、第１セッションのリードアウトはプレピットで形成しておくことが望ましい。リードアウトのデータは書き換えられることはないから、アドレスが固定しているのなら、プレピットで形成しても支障がないし、記録によってリードアウトを形成する時間を省略できる。また、ＰＭＡに記載するファイル管理情報において、第１セッションにかかわる情報のみをプレピット列からなるマスターＲＯＭデータで記載することも可能である。
【０１９５】
以上の、リードイン、ＰＭＡの記録処置（必要ならリードアウトの記録）は、工場での製造段階で行ない、ユーザーサイドでは前処理なしに、直ちにＲＯＭデータを再生し、あるいは、ＲＡＭ領域への書き込みが行なえることが望ましい。なお、本ＣＤ−ＲＷディスク１０ではＲＯＭ領域も、ＲＡＭ領域もＥＦＭ変調信号で記録されており、サブコードによる絶対時間情報も切れ目なく連続していることが必要である。通常、ＲＯＭ領域とＲＡＭ可能領域の切れ目は、コンパクトディスクにおけるデータの単位である、トラックもしくはセッションの切れ目に対応している必要がある。このデータの切れ目では、ＣＤ−ＲＷの規格（オレンジブック・パート３）で規定されるデータの追記部でのｌｉｎｋｉｎｇ規則を適用することが必要である。特にプレピット列５２からなるＥＦＭ信号データによって形成されたＲＯＭ領域と、ＲＡＭ領域とのつなぎ目では、上書きされるＥＦＭデータ信号とプレピット列５２のＥＦＭデータ信号との間に未記録領域ができないよう、およそ２ＥＦＭフレーム以内の範囲のプレピットＥＦＭデータ信号上に上書きするように上書きすべきＥＦＭデータの記録を開始することが望ましい。上書きされた部分では、プレピット列５２のデータは消去できないから、２種類のデータが混信してＥＦＭ信号は部分的に破壊されるが、この程度の範囲内であれば、ＣＤ再生システムのエラー訂正能力により訂正可能であり、再生ドライブ装置から出力されるデータに、エラーは伝播しない。
【０１９６】
このようにして、ＣＤ−ＲＷディスク１０において、論理的なＲＯＭ、及び、ライトワンスタイプのディスクを実現できるとともに、部分的にＲＯＭデータを有するＰ−ＲＯＭディスクにおいて、ＲＯＭデータのＲＡＭデータの識別を容易にし、実用的なファイル管理方法を構築することが可能となる。
（Ｂ）その他の態様
本発明は上述した実施態様及びその変形例に限定されるものではなく、本発明の趣旨を逸脱しない範囲で、種々変形して実施することができる。
【０１９７】
上記の説明では、モード１フォーマットを使用した場合を想定したが、これ以外のモードでも可能であり、モードの差異は本発明の趣旨に影響するものではない。また、層構造の６層は一例であって、６層に限定されるものではない。
さらに、上記の説明は、ＣＤフォーマットに限定されるものではなく、例えば、ＡＴＩＰと同様の趣旨で設けられたＡＤＩＰ（address-in-pregroove）にも適用することもできる。このＡＤＩＰとは、時間ではなく単に連続的な整数値でアドレスを表現したものである。また、記録ドライブ装置は、これを用いて、同一内容のデータを付加することが可能となる。
【０１９８】
そして、また、ウォブルは、溝の両側の壁が蛇行していても良いし、片側だけが蛇行していても良い。ここで、両側の壁が蛇行している場合に、それぞれの蛇行の周波数や変調方法が異なったものであっても良い。
さらに、ウォブルが、他の周期的な溝変形で実現されていてもよい。例えば、溝の深さの変動である。溝ピッチがＣＤフォーマットの如く約１．６μｍで形成されていない、より高密度なトラックピッチを有する媒体にも当然適用可能である。
【０１９９】
プレピット列や相変化による記録データ列で記載される基本データ単位には、前述のＣＤ−ＲＷフォーマットのサブコードＱチャネルやＣＤ−ＲＯＭフォーマットのヘッダ情報のように、ユーザーデータと同様のビット情報としてアドレス情報等の付加データを付加する場合と、予め溝蛇行や、溝間あるいはプレピット列間の平坦部にアドレス情報等の付加データ情報を記載する場合とがある。溝蛇行による付加データの付与は、前述のＣＤフォーマットのＡＴＩＰフレームの場合がその例である。一方、隣り合う溝の間の溝間部や隣接するプレピット列の間の平坦部に、凹凸ピット等の変形部や記録マークを設ける場合もありうる。図２０は、プレピット列間及び溝間にピット列を設けてアドレスを含む付加データを付与した場合である。通常は、溝間をランドと称するが、プレピット列間の平坦部も広義のランドとみなすことができ、その広義のランド部に、ユーザーデータの基本単位のデータ列に沿って、ピット等の変形部を設けて、アドレスや付加データを付与するのである。その場合にも、図２０（ａ）のように、再生専用領域プレピット列の列間の平坦部のピットによるアドレスを含む付加データ情報と、図２０（ｂ）に示す記録可能領域の溝間のピット乃至は記録マークによるアドレスを含む付加データ情報とは同一の論理構造を有し、アドレスは再生専用領域と記録可能領域とで連続していることが望ましい。また、ユーザーデータのみならず、これらの付加データも、再生専用領域と記録可能領域で同等の物理信号特性を有することがより望ましい。
【０２００】
さらに、上述した内容においては、ディスクあるいはＰ−ＲＯＭであることの識別情報や、トラックないしはセッション単位でのＲＯＭ領域のアドレス情報をリードインのサブコードＱチャネルに記載しておく例をあげたが、リードイン領域のメインチャネルに記載しても良い。
ここで、ＲＯＭ領域のアドレス情報とは、個々のＲＯＭ領域の開始アドレス，終了アドレス，容量（データ長）のうちの少なくとも一つの情報（アドレス又は容量）である。さらに、個々のＲＯＭ領域が、複数のユーザーデータファイルを含む場合に、それらのファイル構造（ディレクトリ構造や各ファイルの開始・終了アドレス等）を管理するファイル管理情報がつけ加えられたものは、広義のＲＯＭ領域のアドレス情報とみなすことができる。
【０２０１】
その場合、リードイン領域における一部のアドレスのメインチャネルを、上記ＲＯＭ領域のアドレス情報の記載に割り当てるようにして、プレピットによって、リードイン領域のメインチャネルに該ＲＯＭ領域のアドレス情報を記入することもできる。例えば、固定長パケットを記録するときは、リードインにも図１０に示すように、固定長パケットが多数形成されるので、その一部のパケットのユーザーデータブロックのメインチャネルに、上記アドレス情報をプレピットにより記載することが好ましい。
【０２０２】
なお、ＲＯＭ領域のアドレス情報を、リードイン領域に、マスターＲＯＭデータとして記録する場合は、そのＲＯＭデータが、プレピットでなく、高周波数で変調されている溝変形等であっても良い。
（Ｃ）応用例
以下に本発明の再生専用領域を有する書き換え可能相変化媒体を有効に用いるための応用例と、その実行手段について述べる。
【０２０３】
本発明のＰ−ＲＯＭ媒体の好ましい実施形態は、再生専用領域が、プレピット列によりデータを記録した第１再生専用領域とデータを書き込み再書き込み禁止をすることにより形成した第２再生専用領域とを有し、さらに、書き換え可能な領域を有する媒体である。この場合、第１再生専用領域は、マスターＲＯＭ領域であり、第２再生専用領域はポストＲＯＭ領域である。すなわち、上記好ましい形態の媒体は、マスターＲＯＭ領域とポストＲＯＭ領域とＲＡＭ領域との３種類の領域を全て同一のディスク上に設けてなる。
【０２０４】
以下に説明する内容は、このような３種類の領域を有する媒体の具体的な応用例である。
実行プログラムからならメインルーティンと複数の内容からなるカスタマイズされたデモンストレーションデータ集との２種類のデータをＲＯＭデータとして収録しておく。例えば、メインルーティンは、ユーザーインターフェースとしてメニュー画面を起動し、ユーザーの選択によって各種処理が実行されるようなプログラムである。ユーザーがメニュー画面にしたがって、特定のデモストレーションの実行を選択した場合、デモンストレーションデータ集から、選択されたデータを取得して、メインルーティンのプログラムによって、デモンストレーションが実行される。その後、該デモンストレーションに基づいてユーザーが復唱するなどしたユーザーデータが、ＲＡＭ領域に記録される。
【０２０５】
そして、メインルーティンのプログラムをマスターＲＯＭ領域に格納し、デモンストレーションデータ集は、個々のユーザーごとに異なった内容とすることができるようにカスタマイズ可能とするため、ポストＲＯＭ領域に格納し、ユーザーデータをＲＡＭ領域に記録する。
さらに、具体的に説明するため、書き換え型コンパクトディスクの場合を考える。
【０２０６】
このような媒体においては、該アプリケーションプログラム及びユーザーデータが同一のファイル管理構造を有する固定長パケット単位で記録されることが望ましく、ＵＤＦフォーマットに従ったファイル管理方法を採用することが望ましい。
すなわち、例えば、図１７に示すように記憶媒体上のデータを配置する。
【０２０７】
図１７はＰ−ＲＯＭデータ配置の一例を示す図であるが、この図１７に示すＰ−ＲＯＭ媒体は、図４（ａ）に示すプログラム領域ＡＣの最内周の連続した領域に所定のアプリケーションプログラムのデータが格納されたアプリケーションプログラム領域がＲＯＭ属性を有する第１セッションとして形成され、残りの領域に少なくとも上記アプリケーションプログラムに関連するユーザーデータを記録可能なユーザーデータ記録領域が別のＲＡＭ属性を有する第２セッションとして設定されている。
【０２０８】
ここで、アプリケーションプログラムを含むＲＯＭ属性のセッション（第１セッションのプログラム領域１５０）は、マスターＲＯＭ領域１５２とポストＲＯＭ領域１５３との両方から構成されるようにする。このＲＯＭ属性のセッション（マスターＲＯＭ領域１５２及びポストＲＯＭ領域１５３）は、第１セッションリードイン領域１４１と第１セッションリードアウト領域１６０とでクローズされ、ＲＡＭ属性のセッション（ＲＡＭセッション）は第２セッションリードイン領域１４２と第２セッションリードアウト領域１６１とでクローズされる。また、第１セッション，第２セッションはともに、ＵＤＦの規定により図１０のパケット構造を有し、ＲＡＭ領域１５４を含む第２セッションはＵＤＦの規定に従って、あらかじめ図１０のブロック構造がＲＡＭデータにより記録されフォーマットされている。
【０２０９】
また、アプリケーションプログラムを含む第１セッション全体の属性としては、書き込み禁止（再生専用）属性としておき、第１セッションプログラム領域１５０に、プレピット列からなるマスターＲＯＭ領域と、未記録の記録領域（案内溝のみが存在する）からなるポストＲＯＭ領域とが連続して形成される。マスターＲＯＭ領域１５２の終端とポストＲＯＭ領域１５３の始端とは、図１０に示すリンクブロック２５ａを介してつながっている。
【０２１０】
そして、セッション単位で再生専用もしくは書き換え可能の属性を付与するとともに、ＡＴＩＰフレーム、ＥＦＭフレームあるいはブロック単位でデータ属性を規定することを併せ用いるのが好ましい。つまり、プレピット列からなるマスターＲＯＭ領域１５２には、書き込み禁止（再生専用）属性を付与し、書き換え可能な未記録領域には、１回だけ（初回だけ）書き換え可能属性を付与する。最も好ましいのは、前述のように、マスターＲＯＭ領域１５２のプレピット列もポストＲＯＭ領域１５３の溝も蛇行させてＡＴＩＰによって、データ属性を付与することである。
【０２１１】
そして、マスターＲＯＭデータ及びポストＲＯＭデータのそれぞれの記録は工場もしくは、ソフト作成者側でのみ実施するものとし、ユーザーに配布されて後は、ユーザー側では、第１セッションの属性規定に基づいて、書き込み禁止（再生専用）セッションとして、認識される。
また、マスターＲＯＭ領域１５２及びポストＲＯＭ領域１５３の境界では、蛇行した中心線を有するプレピット列から、溝蛇行に切り換わっていて、ＡＴＩＰ情報によるアドレスは連続的に付与されている。
【０２１２】
特に後者の具体的な応用例として、言語学習のためのアプリケーションを想定すると、図１７においてユーザーインターフェースのためのメニュー画面や、該メニュー画面からの選択に基づいて、デモンストレーションデータを実行するための基本ルーティン（実行プログラム）１５５がマスターＲＯＭ領域１５２に格納される。かかる基本ルーティンは、習得すべき外国語の種類によらない、すなわち、対象とするユーザーによらないのでマスターＲＯＭとして形成しておく。メインルーティンの表示は学習者の母国語、例えば、日本語とする。
【０２１３】
ここでデモンストレーションデータとは、手本となる、フレーズの発音に相当し、デモンストレーションのデータ集１５６として、ポストＲＯＭ領域１５３に格納される。デモンストレーションデータは異なる言語ごとに異なる内容となるが、それは、工場またはソフト作成者側において、ポストＲＯＭ領域１５３に記録される。内容は複数のフレーズからなり、それぞれ、別々のデモ１のデータ１，デモ２のデータ２、・・・、デモｎのデータｎとして、メニュー画面の選択に応じて、どのデモ番号のデータにでも直接アクセスできるように配置される。デモンストレーションのフレーズをユーザーが復唱したデータはＡＤ変換でデジタル化されて、それぞれ、デモ１の復唱データ１、デモ２の復唱データ２、・・・・、デモｎの復唱データｎとなり、ユーザーデータ集のテーブル（デモンストレーションの復唱データ集）１５７として、ＲＡＭ領域１５４に格納される。
【０２１４】
かかる媒体を用いた実行手段として、本発明の記録再生装置は、プログラム領域の内周もしくは外周側の連続した領域に所定のアプリケーションプログラムのデータが格納されたアプリケーションプログラム領域をＲＯＭ属性（再生専用属性）を有するセッション（再生専用領域）として形成し、その連続した領域の残りの領域に少なくとも上記アプリケーションプログラムに関連するユーザーデータが記録可能なユーザーデータ記録領域をＲＡＭ属性（書き換え可能属性）を有する別のセッション（書き換え可能領域）として設定し、該アプリケーションの再生と該アプリケーションに関連するユーザーデータの記録再生とを行なう記録再生装置である。そして、提案する本発明の記録再生装置は、上記ディスク状媒体を装填して、Ｐ―ＲＯＭ（部分的に再生専用領域を有する書き換え可能型相変化型光ディスク）であることを認識する認識手段と、この認識手段にて認識されたＲＯＭセッションにアクセスして、アプリケーションプログラムのデータを取得しそのプログラム内容を実行しうるプログラム実行手段と、このプログラム実行手段により実行されたアプリケーションプログラムに従って、所要の情報を入力することのできる情報入力手段と、このユーザーデータ記録領域にアクセスして、上記情報入力手段により入力された情報をユーザーデータとして記録することのできる記録手段とをそなえて構成されている。
【０２１５】
図１８はＰ−ＲＯＭの記録再生方法を説明するフローチャートであり、本フローチャートは、例えば、図１９に示す記録再生システムを用いて実現される。図１９は本発明の一実施形態に係る記録再生システムの構成図であるが、この図１９に示す記録再生システムは、本発明の部分的に再生専用領域を有するＣＤ−ＲＷディスク（Ｐ−ＲＯＭディスク）２１０と、該媒体を記録再生するための記録再生装置２２０、及び、該記録再生装置２２０に接続されたホストコンピュータ（ホストＰＣ）２３０を少なくとも含む。このホストコンピュータ２３０には、ユーザーとの入出力のやりとりをするインターフェースも含まれている。ここで、記録再生装置２２０とホストコンピュータ２３０とは、相互にデータ転送が可能なように、データ転送路２４０で接続されている。ホストコンピュータ２３０のＣＰＵ２５０によって、アプリケーションプログラムが解読実行される。また、一時記憶メモリ２６０は、固体メモリもしくはハードディスクであり、プログラム実行中のワークスペースとして利用される。
【０２１６】
また、図１８に示すステップＳ０から処理が開始され、ステップＳ１において本発明のＰ−ＲＯＭディスクが装着される。ここで、通常、ディスクの回転開始、フォーカス及びトラッキングサーボ等が確立される。続いて、ステップＳ２において、リードイン領域、ＰＭＡ領域、ＰＣＡ領域のそれぞれにおいてディスクの管理情報が読み込まれる。このディスクの管理情報は、記録時の最適記録パワーや線速度に関する情報とともに、ディスクのタイプがＣＤ−ＲＷであることや、さらには、Ｐ−ＲＯＭタイプのディスクであることが判定される。
【０２１７】
引き続きステップＳ３により、リードイン領域、ＰＭＡ領域において該ディスクがマルチセッションであることが判定される。そして、ＲＯＭセッションである第１セッションのプログラム領域のファイル情報が取得される。
なお、ステップＳ１からステップＳ３は、ＣＤ−ＲＷの記録再生装置２２０内において実行される。また、ステップＳ１、Ｓ２、Ｓ３では、それぞれ、より詳細には、図１５のフローチャートに示すようなフローが実行される。
【０２１８】
また、図１８のステップＳ４において、ＣＤ−ＲＷディスク２１０においてマスターＲＯＭ領域１５２のアプリケーションプログラムのメインルーティンのデータがホストコンピュータ２３０に読み込まれ、以後のステップはホストコンピュータ２３０のＣＰＵ２５０により、記録再生装置２２０とデータとのやりとりをしながら実行される。
【０２１９】
通常は、ステップＳ５にあるように、まず、ユーザーインターフェースであるメニュー画面が起動され、ユーザーに以後の実行プログラムの動作を選択させる。ここで、ステップＳ６において、デモンストレーションの実行と、実行すべきデモンストレーションの内容とが選択され、デモンストレーションの実行開始が指示される。ここで、最初に選択されたデモンストレーションをデモ１と称することにする。
【０２２０】
また、ステップＳ７において、デモンストレーションの具体的内容が記載されたＣＤ−ＲＷディスク２１０のポストＲＯＭ領域１５３の所定アドレスがアクセスされ、デモ１のデータが取得される。通常は、このデータは、一旦ホストコンピュータ内の固体バッファメモリもしくはハードディスク等の一時記憶メモリに一時記憶され、該一時記憶メモリ２６０より読み出されて、ステップＳ８において、音声や画像に変換されてデモンストレーションとして実行される。
【０２２１】
ここで、上記アプリケーションプログラムを実行する過程は、例えば、言語学習のようなアプリケーションを想定すれば、所定のセンテンスを発語させるデモンストレーションの再生が行なわれ、該デモンストレーションに従ってユーザーからの情報入力を促す。
さらに、ステップＳ９においてユーザーからの割り込み１があり、ユーザーからのデータ入力に移行しない場合には、ルートＲ１により繰り返しデモンストレーションが行なわれ、そして、ユーザーからのデータ入力に移行する旨の割り込み１が実行された場合には、ステップＳ１０において、ＣＤ−ＲＷディスク２１０のＲＡＭ領域がアクセスされて待機となり、ステップＳ１１においてユーザーからのデータ入力がなされるが、これは、言語学習を例にとると、ユーザーがデモ１の内容を復唱することに相当する。該音声データは、ホストコンピュータ２３０においてＡＤ変換されて、ホストコンピュータ２３０内の一時記憶メモリ２６０に一時記憶される。また、ユーザーデータとデモ１のデータとは、それぞれ、左右のチャネルに割り当てられて合成され、ステレオ録音としてもよい。これにより、デモ１の内容とユーザーの復唱内容との比較が容易になる。
【０２２２】
次に、ステップＳ１２において、記録再生装置２２０にデータが転送され、ＣＤ−ＲＷディスク２１０のＲＡＭ領域に該ユーザーデータが記録され、ステップＳ１３において、必要に応じてユーザーの入力データが即時再生される。ここで、ステップＳ１４のユーザー割り込み２において、ユーザーデータを再入力するルートＲ２もしくはデモ１の繰り返し実行まで戻るルートＲ３が選択できるが、その必要がなければ、ステップＳ１５において次のデモンストレーション（デモ２）に移行するか、デモンストレーションを終了するかの選択がなされる。次のデモンストレーションに移行するならば、ルートＲ４（Ｙｅｓルート）を経由して、ステップＳ６に復帰し、デモ選択操作がなされる。
【０２２３】
終了する場合には、Ｎｏルートを通り、ステップＳ１６において、ＲＡＭ領域に新たに記録されたユーザーデータに基づき、ファイル管理情報が更新され、ステップＳ１７において、デモンストレーションが終了し、ルートＲ５によりメニュー画面に復帰する。
本発明のマスターＲＯＭ，ポストＲＯＭ，ＲＡＭの３種類の領域を有するＣＤ−ＲＷは、上記言語学習のような具体例のほかに、マスターＲＯＭ領域に初回バージョンのアプリケーションプログラムを格納し、その部分的なバージョンアップ（更新）が必要なときに、プログラムの補正に必要な部分だけを、ポストＲＯＭ領域に格納していくような使用方法も可能である。初回バージョンのアプリケーションプログラムは、後からポストＲＯＭとして追加される全てのアプリケーションに共通する更新不要な基本プログラムとすることもできる。
【０２２４】
また、図１７において、マスターＲＯＭ，ポストＲＯＭ及びＲＡＭはそれぞれ、内周から順に配置されたが、必ずしもこのような順番でなくても良い。さらに、図１２（ｃ）のように、セッションに区切らないＵＤＦフォーマットで、マスターＲＯＭ，ポストＲＯＭ及びＲＡＭ領域を配置しても良い。
【０２２５】
【発明の効果】
以上、詳述したように、本発明によれば、書き換え可能相変化ディスク、特に、ＣＤ−ＲＷにおいて、書き込み禁止（再生専用）、一度だけ書き換え可能、任意に書き換え可能の３種のデータ属性をＣＤフォーマットのデータの基本単位である、１／７５秒単位のフレームごと、あるいはユーザーデータの１ブロックごとに規定できる。これにより、本来書き換え型のデータを、論理的なＲＯＭデータとして扱うことができる。また、ＣＤ−ＲＷを見かけ上ライトワンス型媒体として利用できる。
【０２２６】
さらに、プレピットからなる物理的なＲＯＭ領域、あるいは、上記論理的なＲＯＭ領域と、ＲＡＭ領域を混載し、いずれの領域も同じ相変化媒体で被覆されたＰ−ＲＯＭディスクにおいて、ＲＯＭデータへの上書きを禁止でき、ＲＯＭデータの破壊、改竄を防止できる。
【図面の簡単な説明】
【図１】（ａ）はデータが未記録の書き換え領域における案内溝の模式図であり、（ｂ）はプレピット列からなる再生専用領域の案内溝の模式図である。
【図２】ＥＦＭ変調信号のアナログ信号の波形図である。
【図３】（ａ）は本発明を適用されるＣＤ−ＲＷディスクの層構造を示す模式図であり、（ｂ）はＣＤ−ＲＷディスクの凹部の模式図である。
【図４】（ａ）は本発明を適用されるＣＤ−ＲＷディスクの領域を説明するための図であり、（ｂ）は本発明を適用されるＣＤ−ＲＷディスクの斜視図である。
【図５】ＡＴＩＰのデータ構造を示す図である。
【図６】ＡＴＩＰを利用したファイル書き込みのフローチャートである。
【図７】９８個のフレームを並べたブロックを示す図である。
【図８】Ｑチャネルのデータ構造を示す図である。
【図９】ＥＦＭ変調信号を利用したファイル書き込みのフローチャートである。
【図１０】固定長パケット記録におけるパケット構造を示す図である。
【図１１】ブロック属性を利用したファイル書き込みのフローチャートである。
【図１２】（ａ）〜（ｄ）は、それぞれ、Ｐ−ＲＯＭのフォーマットに対応した領域構成図である。
【図１３】３つのセッションに区切られたマルチセッションフォーマットがなされたＣＤの領域構成例の説明図である。
【図１４】マルチセッションの場合におけるセッションごとの属性判定のフローチャートである。
【図１５】Ｐ−ＲＯＭにおける簡易消去方法の一例を示すフローチャートである。
【図１６】ＲＯＭデータの自動実行操作の一例を示すフローチャートである。
【図１７】Ｐ−ＲＯＭデータ配置の一例を示す図である。
【図１８】Ｐ−ＲＯＭの記録再生方法を説明するフローチャートである。
【図１９】本発明の一実施形態に係る記録再生システムの構成図である。
【図２０】（ａ），（ｂ）は、それぞれ、溝間又はプレピット列間の平坦部に付加データ情報を記載したＰ−ＲＯＭを模式的に示す、上面からの部分拡大図である。
【符号の説明】
２２  ＡＴＩＰにおけるＢＣＤデータ構造
２２ａ，２２ｂ，２２ｃ  それぞれＡＴＩＰにおける分、秒、フレーム単位のデータ
２３  ブロック
２４  Ｑチャネルのデータ
２５  パケット
２５ａ  リンクブロック
２５ｂ，…，２５ｃ  ランインブロック
２６ａ，…，２６ｂ  ユーザーデータブロック
２７ａ，２７ｂ  ランアウトブロック
４９  凹部
５０  案内溝
５０ａ，５０ｃ  溝壁
５０ｂ  ピット列の中心線
５１  書き換え領域
５２  プレピット（プレピット列，ピット列）
１１０ａ  保護コート
１１０ｂ  反射膜
１１０ｃ，１１０ｅ  保護層
１１０ｄ  相変化型記録層（記録層）
１１０ｆ  ポリカーボネート基板
１４０  ＰＣＡ／ＰＭＡ領域
１４１  第１セッションリードイン領域
１４２  第２セッションリードイン領域
１５０  第１セッションプログラム領域
１５１  第２セッションプログラム領域
１５２  マスターＲＯＭ領域
１５３  ポストＲＯＭ領域
１５４  ＲＡＭ領域
１５５  実行プログラム
１５６  デモンストレーションのデータ集
１５７  デモンストレーションの復唱データ集
１６０  第１セッションリードアウト領域
１６１  第２セッションリードアウト領域
２１０  ＣＤ−ＲＷディスク
２２０  記録再生装置
２３０  ホストコンピュータ（ホストＰＣ）
２４０  データ転送路
２５０  ＣＰＵ
２６０  一時記憶メモリ
【図１】
0003636987.tif 000003
【図２】
0003636987.tif 000004
【図３】
0003636987.tif 000005
【図４】
0003636987.tif 000006
【図５】
0003636987.tif 000007
【図６】
0003636987.tif 000008
【図７】
0003636987.tif 000009
【図８】
0003636987.tif 000010
【図９】
0003636987.tif 000011
【図１０】
0003636987.tif 000012
【図１１】
0003636987.tif 000013
【図１２】
0003636987.tif 000014
【図１３】
0003636987.tif 000015
【図１４】
0003636987.tif 000016
【図１５】
0003636987.tif 000017
【図１６】
0003636987.tif 000018
【図１７】
0003636987.tif 000019
【図１８】
0003636987.tif 000020
【図１９】
0003636987.tif 000021
【図２０】
0003636987.tif 000022